(57)【特許請求の範囲】
【請求項１】
呼制御とベアラ制御とを分離して、無線通信ネットワークにおいて呼を設定する方法であって、
前記無線通信ネットワークの内部又は前記無線通信ネットワークの外部で発信された、選択された宛先に意図された呼に対するサービス要求を受信するステップと、
前記サービス要求及び前記呼の発信元を分析するステップと、
前記分析の結果に応じて、前記呼を処理するユーザ・プレーンを切り換えるための少なくとも１つのメディア・ゲートウェイ（ＭＧＷ１、ＭＧＷ２）を選択するステップと、
次の制御ノードが前記呼の設定に必要であれば、前記選択されたメディア・ゲートウェイのアドレスを、前記次の制御ノードに向けて、前記意図された宛先に向かう方向に送信するステップと、
前記呼のベアラ制御を設定するために、前記選択されたメディア・ゲートウェイと通信するステップと、
が少なくとも１つの制御ノード（ＭＳＣ１、ＧＭＳＣ、ＭＳＣ２、ＧＭＳＣ１、ＭＳＣ、ＴＳＣ２、ＧＭＳＣ２、ＴＳＣ１）で実行されることを特徴とする方法。
【請求項２】
前記呼が、前記ネットワーク内の移動端末から前記ネットワーク内の移動端末への呼であり、前記選択するステップが、前記呼を処理するために単一のメディア・ゲートウェイを選択することを含むことを特徴とする請求項１に記載の方法。
【請求項３】
前記呼が、前記ネットワークの外部から前記ネットワーク内の移動端末への呼であり、前記選択するステップが、前記呼を処理するために単一のメディア・ゲートウェイを選択することを含むことを特徴とする請求項１に記載の方法。
【請求項４】
前記呼が前記ネットワークの外部からであり、前記選択された宛先が前記ネットワークの外部であり、前記選択するステップが、前記呼を処理するために第１のメディア・ゲートウェイと第２のメディア・ゲートウェイとを選択することを含むことを特徴とする請求項１に記載の方法。
【請求項５】
前記メディア・ゲートウェイが、前記呼を処理するのに必要なメディア・ゲートウェイの能力に応じて、複数のメディア・ゲートウェイの中から選択されることを特徴とする請求項１から４のいずれか１項に記載の方法。
【請求項６】
前記メディア・ゲートウェイが、前記呼の選択された宛先に応じて、複数のメディア・ゲートウェイの中から選択されることを特徴とする請求項１から５のいずれか１項に記載の方法。
【請求項７】
前記呼が、前記ネットワーク内の移動端末から前記ネットワーク外部への呼であり、前記選択するステップが、前記呼を処理するために単一のメディア・ゲートウェイを選択することを含むことを特徴とする請求項１から６のいずれか１項に記載の方法。
【請求項８】
前記選択するステップが、前記呼の選択された宛先に応じてメディア・ゲートウェイのグループを選択し、そのメディア・ゲートウェイの能力に応じて、前記メディア・ゲートウェイのグループから少なくとも１つのメディア・ゲートウェイが選択されることを特徴とする請求項１から７のいずれか１項に記載の方法。
【請求項９】
前記少なくとも１つのメディア・ゲートウェイが、更にそのメディア・ゲートウェイのトラフィックの負荷に基づいて選択されることを特徴とする請求項８に記載の方法。
【請求項１０】
アクティブな呼をサービスしているメディア・ゲートウェイを優先して選択し、前記アクティブな呼をサービスしているメディア・ゲートウェイが使用できない場合には、保留の呼をサービスしているメディア・ゲートウェイを選択し、前記保留の呼をサービスしているメディア・ゲートウェイが使用できない場合には、トラフィックの状態に基づいてマルチユーザ能力のあるメディア・ゲートウェイを選択することにより、マルチユーザ呼が確立されることを特徴とする請求項１から９のいずれか１項に記載の方法。
【請求項１１】
呼制御とベアラ制御とを分離して、無線通信ネットワークにおいて呼を設定する方法であって、
ａ）前記呼のユーザ・プレーンをルーティングするメディア・ゲートウェイ（ＭＧＷ１、ＭＧＷ２）を決定する、１つの制御ノード（ＲＮＣ１、ＧＭＳＣ１、ＧＭＳＣ、ＴＳＣ１）によって呼の設定を開始し、
ｂ）前記１つの制御ノードが、前記呼を処理するために前記メディア・ゲートウェイからリソースを要求し、
ｃ）前記１つの制御ノードが、前記メディア・ゲートウェイのアドレスを別の制御ノード（ＭＳＣ１、ＧＭＳＣ、ＭＳＣ２、ＲＮＣ２、ＧＭＳＣ１、ＭＳＣ、ＲＮＣ、ＴＳＣ２、ＧＭＳＣ２、ＴＳＣ１）に転送し、
ｄ）呼の宛先又は外部ネットワークに達するまで、前記別の制御ノードがｂ）及びｃ）のステップを実施し、前記呼がネットワークを通じて搬送されることにより、前記制御ノードで呼制御が実施され、前記メディア・ゲートウェイでベアラ制御が実施されることを特徴とする方法。
【請求項１２】
前記１つの制御ノードが、前記呼のベアラ制御を処理するメディア・ゲートウェイを選択することを特徴とする請求項１１に記載の方法。
【請求項１３】
前記別の制御ノードが、ゲートウェイ移動通信交換局の１つであることを特徴とする請求項１１又は１２に記載の方法。
【請求項１４】
前記別の制御ノードが、ゲートウェイ移動通信交換局及び第２の移動通信交換局であることを特徴とする請求項１１又は１２に記載の方法。
【請求項１５】
前記１つの制御ノードが中継交換局であることを特徴とする請求項１１又は１２に記載の方法。
【請求項１６】
リソースの要求に応じて、前記メディア・ゲートウェイが前記呼を処理するメディア・ゲートウェイ内に確保されたリソースを識別するための論理ポイントを確保することを特徴とする請求項１１から１５のいずれか１項に記載の方法。
【請求項１７】
前記１つの制御ノードが、前記メディア・ゲートウェイのアドレスを別の制御ノードに転送する前記ステップｃ）が、前記論理ポイントの識別情報を前記別の制御ノードに転送することを更に含むことを特徴とする請求項１６に記載の方法。
【請求項１８】
呼についての情報を受信し、前記呼のユーザ・プレーンを処理するために、少なくとも１つのメディア・ゲートウェイ（ＭＧＷ１、ＭＧＷ２）からリソースを要求する、複数の制御ノード（ＭＳＣ１、ＧＭＳＣ、ＭＳＣ２、ＧＭＳＣ１、ＭＳＣ、ＴＳＣ２、ＧＭＳＣ２、ＴＳＣ１）と、
前記呼のユーザ・プレーンを処理するための複数のメディア・ゲートウェイ・リソースを接続する複数の論理ポイント（Ｐｏ１、Ｐｖ１２、Ｐｖ１１、Ｐｉ１、Ｐｉ２、Ｐｖ２１、Ｐｏ２、Ｐｖ１３、Ｐｏ１１、Ｐｏ２２、Ｐｉ３２、Ｐｖ３２、Ｐｏ３）を含んでおり、前記制御ノードの１つからのリソースの要求に応じて、前記制御ノードの１つに対して前記論理ポイントの１つを識別するように構成されている、前記少なくとも１つのメディア・ゲートウェイとを備え、
前記複数の制御ノードが、前記呼のユーザ・プレーンを処理するために、前記少なくとも１つのメディア・ゲートウェイを用い、前記少なくとも１つのメディア・ゲートウェイが、ユーザ・プレーンの処理に使用するメディア・ゲートウェイの識別情報を別の制御ノードに送信するように構成されていることを特徴とする無線通信ネットワーク。
【請求項１９】
制御ノードで呼制御のために実施されるアプリケーション・ロジックが、該アプリケーション・ロジックの制御の下にメディア・ゲートウェイ・リソースをプールすることを可能とすべく、呼を処理する少なくとも１つのメディア・ゲートウェイからメディア・ゲートウェイ・リソースを要求するように構成されていることを特徴とする請求項１８に記載の無線通信ネットワーク。
【請求項２０】
制御及び前記少なくとも１つのメディア・ゲートウェイ内のリソースの確保に関する、制御ノードと前記少なくとも１つのメディア・ゲートウェイとの間の通信が、デバイス制御プロトコルを用いて実行されることを特徴とする請求項１８又は１９に記載の無線通信ネットワーク。
【請求項２１】
前記デバイス制御プロトコルが、国際電気通信連合のゲートウェイ制御プロトコルであることを特徴とする請求項２０に記載の無線通信ネットワーク。
【請求項２２】
前記制御ノードが、前記呼に対するサービス要求である情報に応じて、前記メディア・ゲートウェイの１つからリソースを要求することを特徴とする請求項１８から２１のいずれか１項に記載の無線通信ネットワーク。
【請求項２３】
各メディア・ゲートウェイが、前記呼を処理するための複数のメディア・ゲートウェイ・リソースを接続する複数の論理ポイントを含んでおり、前記制御ノードの１つからのリソースの要求に応じて、前記制御ノードの１つに対して前記論理ポイントの１つを識別するように構成されていることを特徴とする請求項１８から２２のいずれか１項に記載の無線通信ネットワーク。
【請求項２４】
前記識別された論理ポイントが、確保されたリソースを識別し、国際電気通信連合のゲートウェイ制御プロトコルを用いて制御サーバに返されることを特徴とする請求項１８から２３のいずれか１項に記載の無線通信ネットワーク。
【請求項２５】
前記ネットワークが、前記制御ノード間の呼制御シグナリングにＮ−ＩＳＵＰインタフェースを用いることを特徴とする請求項１８から２４のいずれか１項に記載の無線通信ネットワーク。
【請求項２６】
前記ユーザ・プレーンが、メディア・ゲートウェイ内部及びメディア・ゲートウェイ間で、圧縮されて転送されることを特徴とする請求項１８から２５のいずれか１項に記載の無線通信ネットワーク。
【請求項２７】
前記複数のメディア・ゲートウェイ・リソースの少なくとも１つが、トランスコーダ、会議通話装置、モデム、トーン発生器、フレーム化装置及びアナウンス装置の１つであることを特徴とする請求項１８から２６のいずれか１項に記載の無線通信ネットワーク。
【発明の詳細な説明】
【０００１】
［発明の背景］
従来のＧＳＭ（汎欧州デジタル電話方式）あるいはＵＭＴＳ（世界規模の移動体通信サービス）のコアネットワークは、ベアラ制御及び呼制御を用いる。ベアラ制御は、伝送ネットワークを通じた経路の選択、及び要求されたリソースの利用（確保、解放及び設定）の制御に関するシグナリングの態様である。呼制御は、例えば、加入者の状態を考慮した、加入者及びサービス制御に関するシグナリングの態様である。
【０００２】
Ｎ−ＩＳＤＮ（総合サービス・デジタル通信網）の既存の実現方法では、呼制御とベアラ制御とは互いに一体となっている。ユーザ・プレーンは、ＭＳＣ（移動通信交換局）及びＧＭＳＣ（ゲートウェイＭＳＣ）などの制御サーバに直接関連している。このように、制御ノードはシグナリング及びユーザ・プレーン両方に対するアプリケーション・ロジックを実装している。Knight R.R.及びLaw B.は、１９９８年４月に発行された、BT Technical Journal, volume 16 Number 2の「呼とベアラが分離された環境における呼制御プロトコル(The call control procotol in a separated call and bearer environment)」において、呼とベアラ制御とが分離されたシステム及びプロトコルを記載している。しかしながら、記載されたシステムは、制御ノードをペイロード伝送用のノードから分離していない。このため、制御ノードは、呼制御とベアラ制御との両方を実行し、時間において分離されているだけである。このため、ペイロードの最適化されたルーティングが不可能である。
【０００３】
本発明は、呼制御とベアラ制御との分離に係るものである。
【０００４】
発明の概要
ＧＳＭ及びＵＭＴＳコア・ネットワークを実現するために、呼制御とベアラ制御とを分離する新たな手法が存在する。
【０００５】
本発明によれば、呼とベアラ制御との分離の実施により、以下のような特徴が示される。
【０００６】
メディア・ゲートウェイ・アドレス、終端及びおそらくは選択されたトランスコーダの順方向への転送。トランスコーダを順方向に転送することで、ＴＦＯ（タンデム・フリー・オペレーション）又はＴｒＦＯ（トランスコーダ・フリー・オペレーション）が可能である。
【０００７】
アプリケーション・ソフトウェアが、例えばＳＴＭ、ＡＴＭ、ＩＰなどの使用される伝送技術から独立している。
【０００８】
最適化されたユーザ・プレーンを得るための、呼制御とベアラ制御のシグナリングに対する変更。
【０００９】
異なった制御サーバが１つのメディア・ゲートウェイを使用可能とするための、ＭＧＷにおける論理ポイントの使用。
【００１０】
制御ノードにおいて、メディア・ゲートウェイ毎に１つのＰＣを割当てることにより、ＭＳＣ、ＴＳＣサーバがいくつかのメディア・ゲートウェイを制御することを可能とする。
【００１１】
呼の設定のためのユーザ・プレーンのルーティングが、著しく最適化される。
【００１２】
付加サービスＣＦＮＲＥＡ、ＣＦＢ、ＣＦＮＲＹ、ＣＦＵのためのユーザ・プレーンのルーティングが、著しく最適化される。
【００１３】
付加サービスＣＷ、ＨＯＬＤのためのユーザ・プレーンのルーティングが、著しく最適化される。
【００１４】
呼が１つのネットワーク内に留まる又は１つのネットワーク境界を越える場合には、１つのメディア・ゲートウェイだけが使用される。呼が２つのネットワーク境界を越える場合には、それぞれがネットワークに対して端部にある２つのＭＧＷが関係する。
【００１５】
符号化された（圧縮された）ユーザ・プレーンをネットワークの端部又は、例えばＭＰＴＹ呼に対して２つのＭＧＷ間で転送することにより、ユーザ・プレーン・パイプのサイズが最適化される。
【００１６】
ＭＧＷに会議通話装置のプールを可能とする。
【００１７】
異なった符号化が行われた音声ストリームを１つのＭＰＴＹに組合せる。
【００１８】
本発明の更なる特徴及び利点は、明細書の以下の説明及び図面から容易にわかるであろう。
【００１９】
説明
本発明は、呼制御とベアラ制御、すなわち、ペイロード接続の設定とを分離した、電気通信ネットワークにおける呼の設定を可能とすること及び最適化することに関する。呼制御とペイロード伝送との分離は、ＭＳＣ、ＧＭＳＣ及びＴＳＣ等の制御ノード間のシグナリングが、ネットワークを通じてペイロードとは異なった経路を取ることを意味する。これは、電気通信ネットワークが、最少のリソースを使用してペイロードに対する最適なルーティングを実行することを可能とする。発信呼、着信呼、内部呼あるいは中継呼などの呼の場合に応じて、１つあるいは最大で２つのメディア・ゲートウェイだけが必要である。
【００２０】
本発明は特に、選択されたメディア・ゲートウェイの識別情報の順方向への送信を含む方法に関する。すなわち、第２の制御ノードあるいは更なる制御ノードは、メディア・ゲートウェイを、
−呼の発信元、
−呼の宛先（着信制御ノード中継スイッチあるいはＭＳＣの選択と、符号化及び復号化とに重要）、あるいは
−要求されるサービス（音声、ファックス又はその他）、に応じて全ての呼の場合について選択する。ある種の呼の場合には、更なる情報がメディア・ゲートウェイの選択に関連してもよく、その情報とは、
−関連するサービス、例えばＣＦＢ、
−ペイロードの符号化（圧縮音声の場合には、伝送容量を節約するためにネットワークを通じて音声データの圧縮を保持するのが実用的である）、
−呼のフレーミング、などである。
【００２１】
本発明は、メディア・ゲートウェイ・アドレス、論理ポイント、選択された符号化タイプ及び選択されたフレーミングのタイプをネットワークにおいて順方向に転送して、呼制御とベアラ制御とを分離した、基本的な呼の設定、ＧＳＭ／ＵＭＴＳ付加サービスＣＦＵ、ＣＦＢ、ＣＦＮＲＥＡ、ＣＦＮＲＹ、ＣＷ、ＨＯＬＤ及びＭＰＴＹの実施に関する。様々なトラフィックの事例におけるそれぞれの呼の設定が、図面の１つに示され説明されている。それぞれの図面は、ＧＳＭあるいはＵＭＴＳなどの無線通信システムのブロック図であり、方向を示す矢印は、異なったトラフィックの事例に対する呼を設定中のメディア・ゲートウェイ及び制御サーバ間の制御シグナリングを示している。本明細書に記載された説明は、各信号で運ばれる情報の説明である。本明細書及び図面において、特定の信号は参照番号で識別される。
【００２２】
ここで説明されるトラフィックの事例における呼の多くは、例えば、パーソナルコンピュータ、ファックス、あるいはネットワーク内に位置する電話である、固定端末あるいは移動端末に関連する。そのような移動端末をここではユーザ機器（ＵＥ）と称する。ユーザ機器は、無線リソース制御（ＲＲＣ）プロトコルを用いてＲＮＣ（無線ネットワーク・コントローラ）を介してネットワークと通信する。
【００２３】
論理ポイントはＭＧＷ（メディア・ゲートウェイ）によって生成される局所的な参照であり、メディア・ゲートウェイ・アドレスがあるときだけ、制御サーバ、例えば、ＭＳＣ／ＶＬＲ（ＭＳＣ／ビジター・ロケーション・レジスタ）、ＧＭＳＣ、ＴＳＣ及びＲＮＣ内の接続を識別するのに有効である。この目的のため、第１のＭＧＷ内に論理ポイントＰが確保される。この確保されたポイントは、ＤＣＰリソース応答メッセージで制御サーバに返送され、この制御サーバからＡＡＬ２接続を設定するであろう別のメディア・ゲートウェイＭＧＷ２又はＲＮＣに伝えられる。この設定で論理ポイントＰは、メディア・ゲートウェイＭＧＷ１内に確保されたリソースのどれに接続を設定すべきかを識別するために含まれている。論理ポイントは、ＩＴＵによるＨ．ＧＣＰプロトコル標準における終端と同義である。
【００２４】
上記で述べた制御サーバの１つなどの制御ノードは、アプリケーション・ロジックを提供する。ユーザ・プレーン処理からのアプリケーション・ロジックの完全な分離は、アプリケーションの開発及び実行の強化を可能とする。説明したシステムには、制御ノードＧＭＳＣ、ＭＳＣ、ＴＳＣ及びホーム・ロケーション・レジスタＨＬＲ（シグナリングのみ）が存在する。制御ノードのインタフェースは、例えば、呼制御シグナリングについてはＮ−ＩＳＵＰ、メディア・ゲートウェイ制御についてはＤＣＰシグナリング及び制御サーバ間のコネクションレス・シグナリングの転送についてはＭＡＰである。
【００２５】
メディア・ゲートウェイ（ＭＧＷ）は、ユーザ・プレーンを変更あるいは切り換える。これはアナウンス生成、トーン生成、エコー・キャンセル、データ呼に対するモデム処理、及び音声呼に対するフレーム処理とコーデック（トランスコーダ）処理などの動作を実行する。
【００２６】
シグナリング・ゲートウェイ（ＧＷ）は、シグナリング・メッセージのベアラ変換を実行する。ＡＴＭコア・ネットワーク及び相互に働くＩＳＤＮネットワークを備えたＵＭＴＳでは、ＡＴＭ／ＡＡＬ５からＭＴＰへの変換がシグナリング・ゲートウェイで行われる。シグナリングＧＷはＮ−ＩＳＵＰシグナリングを中継し、シグナリングを運ぶ低位転送レイヤを交換する。従ってシグナリングＧＷは、例えば、ＧＭＳＣあるいはＴＳＣサーバと常に併置される。
【００２７】
バックボーン・ネットワークはユーザ・プレーン及び制御シグナリングを転送し、例えば、ＳＴＭ、ＡＴＭあるいはＩＰに基づいたものとできる。メディア・ゲートウェイは、バックボーン・ネットワークの端部のノードである。
【００２８】
本明細書では周知のものに加え、以下の略称を使用する。
ＡＡＬ２        ＡＴＭアダプテーション・レイヤ・タイプ２
ＡＴＭ          非同期転送モード
ＢＩＣＣ        ベアラ独立呼制御
ＣＣＤ          会議通話装置
ＣＩＣ          回路識別コード
ＣＦＢ          ビジー時着信転送
ＣＦＮＲＥＡ    圏外・電源オフ時着信転送
ＣＦＮＲＹ      無応答時着信転送
ＣＦＵ          無条件着信転送
ＣＭ            接続管理
ＣＷ            コール・ウェイティング付加サービス
ＤＣＰ          デバイス制御プロトコル
ＤＰＣ          着信ポイント・コード
ＤＴＡＰ        直接転送応用部
ＧＭＳＣ        ゲートウェイＭＳＣ
ＨＬＲ          ホーム・ロケーション・レジスタ
ＨＯＬＤ        保留時付加サービス
ＩＰ            インターネット・プロコトル
ＩＳＤＮ        総合サービス・デジタル通信網
ＩＳＵＰ        ＩＳＤＮユーザ部
ＭＡＰ          移動通信応用部
ＭＧＷ          メディア・ゲートウェイ
ＭＳＣ          移動通信交換局
ＭＰＴＹ        マルチユーザ付加サービス
ＯＰＣ          発信ポイント・コード
ＰＣ            ポイント・コード
Ｐ              論理ポイント
ＲＡＮＡＰ      無線アクセス・ネットワーク応用部
ＲＮＣ          無線アクセス・ネットワーク
ＳｉｇＧＷ      シグナリング・ゲートウェイ
ＳＴＭ          同期転送モード
ＴＳＣ          中継交換局
ＵＥ            ユーザ機器（移動体）。
【００２９】
本明細書に記載する新たなネットワーク・アーキテクチャでは、ＳＴＭ、ＡＡＬ２あるいはＩＰがベアラ制御及びユーザ・プレーンの利用に使用されるが、呼制御にはＮ−ＩＳＤＮが使用される。
【００３０】
ここでの記載では制御トーンの生成を省略したが、既知の他の方法で処理されるべきである。
【００３１】
メディア・ゲートウェイ・アドレスは、例えば、サブレイヤ転送アドレスとしてＢＩＣＣ，ＩＳＤＮで転送され得る。ＴＳＣとメディア・ゲートウェイ・アドレスとの少なくとも一方を見つけるために、ある種のＩＮサービス、ルーティング分析あるいはＢ番号分析が使用される。そしてＴＳＣが、ＩＳＤＮへの発呼について選択される。メディア・ゲートウェイは、例えば、コーデック、符号化、圧縮、フレーミング方式、アナウンス装置、トーン送信器、あるいはモデムなどのどのデバイスが必要であるかなどの、呼を処理するのに必要な能力に基づいて選択される。選択は主として宛先によって決定される。宛先に応じて、異なった能力のメディア・ゲートウェイのグループが探され得る。そして、例えば、ＣＣＤ、モデムのサポート、インターネットのコネクティビティ等の必要とされる能力を有するメディア・ゲートウェイが選択される。
【００３２】
サーバによって確保された全てのリソースは、そのサーバによって解放されなければならない。メッセージの流れを単純にするため、メディア・ゲートウェイでのリソースの開放は図に関する以下の説明から省略する。
【００３３】
例においては、コア・ネットワーク内部の第１の制御ノードＧＭＳＣ／ＴＳＣサーバと、ＣＮ内部の第１のメディア・ゲートウェイとの間での１対１の関係を想定した。
【００３４】
異なったＭＧＷに渡るが、同じＧＭＳＣへの制御シグナリング（ＩＡＭ）による着信呼を受信できるようにするために、ＧＭＳＣは、ＩＳＤＮユーザ・プレーンが終端し得るＭＧＷ毎に１つのポイント・コードを有する必要がある。ＩＡＭが送信されたＤＰＣの範囲外で、ＧＭＳＣはＩＳＤＮユーザ・プレーンが設定されたメディア・ゲートウェイを求めることができる。
【００３５】
ＴＳＣが発信（着信）トラフィックに対して１つより多いメディア・ゲートウェイを制御するのを可能とするためには、ＴＳＣは制御されるメディア・ゲートウェイ毎に１つのポイント・コードを必要とする。選択されたメディア・ゲートウェイに対してＴＳＣは特定のＯＰＣを使用しなければならない。選択されたＯＰＣに応じて、中継交換局は異なったメディア・ゲートウェイから受信したＩＳＤＮユーザ・プレーンを識別できる。
【００３６】
異なったＭＧＷから又はそこへユーザ・プレーンを受信又は送信する別の代替的解決策は、ユーザ・プレーンが異なったＭＧＷを介して送られた場合に、サーバ間で異なったシグナリング経路が使用されるものである。
【００３７】
中継交換局から又はそこへ異なったＭＧＷから又はそこへユーザ・プレーンを受信又は送信し、１つのサーバから又はそこへのシグナリングを制御する第３の代替的解決策は、ユーザ・プレーンが異なったＭＧＷを介して送られた場合に、異なったＭＧＷに対して異なったＣＩＣが使用されるものである。
【００３８】
ＩＡＭメッセージでメディア・ゲートウェイのアドレスを転送する代わりに、ＩＡＭメッセージ内で使用されているＯＰＣによって発信メディア・ゲートウェイを識別するという考えは、ＣＮ全体を通じても可能であるが、これはｍ個のＭＧＷを有するネットワークでは、ＭＧＷを制御できる制御サーバのそれぞれにｍ個の異なったポイント・コードを必要とする。
【００３９】
あるサーバからその他のサーバへメディア・ゲートウェイの情報を転送する別の代替的解決策は、ユーザ・プレーンが異なったＭＧＷに送られた場合、シグナリングに異なった経路が使用されるものである。ＴＳＣがｍ個のＭＧＷから呼を受信できる場合、ＲＮＣに向けてｍ個の異なったシグナリング経路が必要となる。
【００４０】
様々な図面についての以下の説明では、様々な信号名が使用される。これらの信号のいくつかは元々慣用的なものである。ＤＴＡＰメッセージは、ＧＳＭ  ０４．０８  Ｖ８．０．０及びＵＭＴＳ  ２４．０８  Ｖ３．０．０に定義されている。ＲＡＮＡＰメッセージは、ＵＭＴＳ  ２５．４１３  Ｖ１．０．２に定義されている。ＭＡＰメッセージは、ＧＳＭ  ０９．０２  Ｖ６．３．０及びＵＭＴＳ  ２９．００２  Ｖ３．３．２に定義されている。ＡＡＬ２メッセージは、本発明によるベアラ制御に使用される。ＤＣＰメッセージは、以下で詳細に説明するが、リソースの要求及び割当てに関して制御ノードとＭＧＷとの間の通信で使用される。ＩＳＤＮメッセージはネットワーク制御ノードと外部ＩＳＤＮネットワークとの間のシグナリングに使用される。更新されたＩＳＤＮのメッセージのセットは、コア・ネットワーク・サーバ間で使用される。更新されるのは、例えば、ＩＡＭメッセージである。
【００４１】
図１は、メディア・ゲートウェイ・アドレスが順方向に転送されている、ＵＥからネットワーク内のＵＥへの呼を示している。この代替例では、発信側交換機は、例えばトラフィックについて位置による理由でメディア・ゲートウェイＭＧＷ１を選択し、メディア・ゲートウェイＭＧＷ１のアドレスをＩＳＵＰ  ＩＡＭメッセージと共に順方向でゲートウェイ移動通信交換局ＧＭＳＣ１へ、更に移動通信交換局ＭＳＣ２へ転送する。
【００４２】
この場合、ユーザ・プレーンに影響を及ぼす全ての制御サーバによって使用され得る１つのメディア・ゲートウェイだけが使用される。
【００４３】
終端が未知であるので発信ＭＳＣによってトランスコーダが組み込まれる。無線ネットワーク・コントローラＲＮＣ１側では、ユーザ機器ＵＥ１と取り決められた符号化が使用され、発信側ではデフォルトの符号化が使用される。着信移動通信交換局ＭＳＣ２は、１方の側にはデフォルトの符号化を選択し、無線ネットワーク・コントローラＲＮＣ２の側には自身がユーザ機器ＵＥ２と取り決めた符号化を使用する。例と共に示す基本的呼の設定の以下のステップは、各ステップでの制御シグナリングを表わし、図に示された参照符号に対応して番号が付けられている。説明には信号のプロトコルとそれに続く信号のタイプが含まれる。
【００４４】
１．    ＤＴＡＰ、ＣＭサービス要求
２．    ＤＴＡＰ、設定
３．    ＤＴＡＰ、呼の手続
４．    ＤＣＰ、リソース要求（ＭＧＷ１）
５．    ＤＣＰ、リソース応答（Ｐｉ１、Ｐｖ１１）
６．    ＤＣＰ、スルー接続（Ｐｖ１１、Ｐｉ１）
移動通信交換局ＭＳＣ１が、メディア・ゲートウェイＭＧＷ１に着信ポイントＰｉ１及び仮想ポイントＰｖ１１の逆方向スルー接続を命令する。
【００４５】
７．    ＲＡＮＡＰ、割当て要求
８．    ＡＡＬ２、確立要求
９．    ＡＡＬ２、確立確認
１０．  ＲＡＮＡＰ、割当て要求
１１．  ＩＳＤＮ、アドレスメッセージＩＡＭ（ＭＧＷ１、Ｐｖ１１、ＯＰＣ、ＤＰＣ、ＣＩＣ）
発信移動通信交換局ＭＳＣ１から呼の設定が要求される。ゲートウェイ移動通信交換局ＧＭＳＣ１において着信呼を識別するのに、メディア・ゲートウェイＭＧＷ１のアドレス及びＰｖ１１あるいはオプションでＯＰＣ、ＤＰＣ、ＣＩＣが使用され得る。
【００４６】
１２．  ＤＣＰ、リソース要求（ＭＧＷ１、Ｐｖ１１）
１３．  ＤＣＰ、リソース応答（Ｐｖ１２）
メディア・ゲートウェイＭＧＷ１から仮想ポイントＰｖ１２が返される。
【００４７】
１４．  オプションのＤＣＰ、スルー接続（Ｐｖ１２、Ｐｖ１１）
ゲートウェイ移動通信交換局ＧＭＳＣ１が、メディア・ゲートウェイＭＧＷ１に着信ポイントＰｖ１２及び仮想ポイントＰｖ１１のスルー接続を命令する。オプションで、スルー接続（Ｐｉ１、Ｐｏ１）メッセージで、メディア・ゲートウェイＭＧＷ１全体の接続がスルー接続され得る。
【００４８】
１５．  ＭＡＰ、ルーティング情報送信要求
ゲートウェイ移動通信交換局ＧＭＳＣ１がホーム・ロケーション・レジスタＨＬＲにルーティング情報を問い合わせる。
【００４９】
１６．  ＭＡＰ、ルーティング情報送信応答
通知が発ユーザに与えられる場合、ゲートウェイ移動通信交換局ＧＭＳＣ１は転送する番号及び表示を受信する。
【００５０】
１７．  オプションのＩＳＤＮ、アドレス完了メッセージ（ＡＣＭ）
ＡＣＭメッセージは、ゲートウェイ移動通信交換局ＧＭＳＣ１から移動通信交換局ＭＳＣ１に送信される。
【００５１】
１８．  ＩＳＤＮ、アドレスメッセージＩＡＭ（ＭＧＷ１、Ｐｖ１２、ＯＰＣ、ＤＰＣ、ＣＩＣ）
ＩＡＭメッセージは、ゲートウェイ移動通信交換局ＧＭＳＣ１から移動通信交換局ＭＳＣ２に送信される。移動通信交換局ＭＳＣ２において着信呼を識別するのに、メディア・ゲートウェイＭＧＷ１のアドレス及びＰｖ１２あるいはオプションでＯＰＣ、ＤＰＣ、ＣＩＣが使用され得る。
【００５２】
１９．  ＤＣＰ、リソース要求（ＭＧＷ１、Ｐｖ１２）
そのＣＩＣで識別される呼に対するリソースが要求される。
【００５３】
２０．  ＤＣＰ、リソース応答（Ｐｏ１）
発信ポイントＰｏ１がメディア・ゲートウェイＭＧＷ１から返される。
【００５４】
２１．  ＤＣＰ、スルー接続（Ｐｏ１、Ｐｖ１２）
移動通信交換局ＭＳＣ２が、メディア・ゲートウェイＭＧＷ１に仮想ポイントＰｖ１２及び発信ポイントＰｏ１のスルー接続を命令する。オプションで、スルー接続（Ｐｖ１１、Ｐｏ１）メッセージで、メディア・ゲートウェイＭＧＷ１の接続がスルー接続され得る。
【００５５】
２２．  ＲＡＮＡＰ、ページング
２３．  ＤＴＡＰ、ページング応答
２４．  ＤＴＡＰ、設定
２５．  ＤＴＡＰ、呼の確認
２６．  ＲＡＮＡＰ、割当て要求
２７．  ＡＡＬ２、確立要求
２８．  ＡＡＬ２、確立確認
２９．  ＲＡＮＡＰ、割当て応答
３０．  ＤＴＡＰ、アラート
３１．  ＩＳＤＮ、アドレス完了メッセージＡＣＭ
３２．  ＩＳＤＮ、呼の手続ＣＰＧ
３３．  ＤＴＡＰ、接続
３４．  ＤＴＡＰ、接続ＡＣＫ
３５．  ＩＳＵＰ、応答メッセージＡＮＷ
３６．  ＩＳＵＰ、応答メッセージＡＮＷ
３７．  ＤＣＰ、スルー接続（Ｐｖ１１、Ｐｉ１）
移動通信交換局ＭＳＣ１が、メディア・ゲートウェイＭＧＷ１に着信ポイントＰｉ１及び仮想ポイントＰｖ１１のスルー接続を命令する。
【００５６】
３８．  ＤＴＡＰ、接続
３９．  ＤＴＡＰ、接続ＡＣＫ。
【００５７】
図２は、ネットワークの外から生じるＵＥへの呼を示している。メディア・ゲートウェイ・アドレスはここでも順方向に転送されている。ここで加入者はサービスされるユーザ機器ＵＥ１を呼出している。この場合、ユーザ・プレーンに影響を及ぼす全ての制御サーバによって使用され得る１つのメディア・ゲートウェイだけが使用される。
【００５８】
トランスコーダが着信移動通信交換局によって組み込まれている。着信側では、例えば、ＰＣＭ符号化が使用され、発信側では、無線ネットワーク・コントローラＲＮＣによってユーザ機器ＵＥ１と取り決められた符号化が使用される。
【００５９】
１．    ＩＳＤＮ、アドレス・メッセージＩＡＭ（ＯＰＣ、ＤＰＣ、ＣＩＣ）
外部ＩＳＤＮネットワークから、移動体で終端する発呼への呼の設定が要求される。この例では、ゲートウェイ移動通信交換局／中継交換局ＧＭＳＣ１／ＴＳＣ及びシグナリング・ゲートウェイ１が併置されている。
【００６０】
２．    ＤＣＰ、リソース要求（ＭＧＷ１、ＣＩＣ）
ＩＳＤＮネットワークの中継スイッチによって選択されたＣＩＣによって識別される呼に対するリソースが要求される。
【００６１】
３．    ＤＣＰ、リソース応答（Ｐｉ１、Ｐｖ１１）
着信ポイントＰｉ１及び仮想ポイントＰｖ１１がメディア・ゲートウェイＭＧＷ１から返される。
【００６２】
４．    ＭＡＰ、ルーティング情報送信要求
ゲートウェイ移動通信交換局ＧＭＳＣ１が、ホーム・ロケーション・レジスタＨＬＲにルーティング情報を問い合わせる。
【００６３】
５．    ＭＡＰ、ルーティング情報送信応答
ゲートウェイ移動通信交換局ＧＭＳＣ１が、移動通信交換局ＭＳＣのアドレスを受信する。
【００６４】
６．    ＩＳＤＮ、アドレス完了メッセージＡＣＭ
ＡＣＭメッセージがゲートウェイ移動通信交換局／中継交換局ＧＭＳＣ１／ＴＳＣから中継スイッチ１に送られる。
【００６５】
７．    オプションのＤＣＰ、スルー接続（Ｐｉ１、Ｐｖ１１）
ゲートウェイ移動通信交換局／中継交換局ＧＭＳＣ１／ＴＳＣが、メディア・ゲートウェイＭＧＷ１に着信ポイントＰｉ１及び仮想ポイントＰｖ１１のスルー接続を命令する。オプションで、メディア・ゲートウェイＭＧＷ１接続全体が、スルー接続（Ｐｉ１、Ｐｖ１１）メッセージで１つのＤＣＰにスルー接続され得る。
【００６６】
８．    ＩＳＤＮ、アドレス・メッセージＩＡＭ（ＭＧＷ１、Ｐｖ１１、ＯＰＣ、ＤＰＣ、ＣＩＣ）
ＩＡＭメッセージが、ゲートウェイ移動通信交換局／中継交換局ＧＭＳＣ１／ＴＳＣから移動通信交換局ＭＳＣに送信される。移動通信交換局ＭＳＣ２において着信呼を識別するのに、メディア・ゲートウェイＭＧＷ１のアドレス及びＰｖ１１あるいはオプションでＯＰＣ、ＤＰＣ、ＣＩＣが使用され得る。
【００６７】
９．    ＤＣＰ、リソース要求（ＭＧＷ１、Ｐｖ１１）
そのＣＩＣで識別される呼に対するリソースが要求される。
【００６８】
１０．  ＤＣＰ、リソース応答（Ｐｏ１）
メディア・ゲートウェイＭＧＷ１から発信ポイントＰｏ１が返される。
【００６９】
１１．  ＤＣＰ、スルー接続（Ｐｖ１１、Ｐｏ１）
移動通信交換局ＧＭＳＣが、メディア・ゲートウェイＭＧＷ１に仮想ポイントＰｖ１１及び発信ポイントＰｏ１のスルー接続を命令する。オプションで、メディア・ゲートウェイＭＧＷ１接続全体が、スルー接続（Ｐｉ１、Ｐｏ１）メッセージで１つのＤＣＰにスルー接続され得る。
【００７０】
１２．  ＲＡＮＡＰ、ページング
１３．  ＤＴＡＰ、ページング応答
１４．  ＤＴＡＰ、設定
１５．  ＤＴＡＰ、呼の確認
１６．  ＲＡＮＡＰ、割当て要求
１７．  ＡＡＬ２、確立要求
１８．  ＡＡＬ２、確立確認
１９．  ＲＡＮＡＰ、割当て要求
２０．  ＤＴＡＰ、アラート
２１．  ＩＳＤＮ、アドレス完了メッセージＡＣＭ
２２．  ＩＳＤＮ、呼の手続ＣＰＧ
２３．  ＤＴＡＰ、接続
２４．  ＤＴＡＰ、接続ＡＣＫ
２５．  ＩＳＵＰ、応答メッセージＡＮＷ
２６．  ＩＳＵＰ、応答メッセージＡＮＷ。
【００７１】
図３は、ＧＭＳＣからＩＳＤＮ番号によって識別されるネットワークの外部のＩＳＤＮ加入者への着信転送を示している。メディア・ゲートウェイ・アドレスは順方向に転送される。
【００７２】
移動通信交換局ＭＳＣにおけるＣＦＮＲＥＡに対して、ゲートウェイ移動通信交換局ＧＭＳＣにおけるＣＦＮＲＥＡと同じ処理が適用される。従って、ＧＭＳＣにおけるＣＦＮＲＥＡに対するシグナリングだけを以下で説明する。
【００７３】
中継交換局ＴＳＣ２にオプションのＧＭＳＣで実行される分析が、メディア・ゲートウェイＭＧＷ２のアドレスを、両者の間の１対１関係として送ることができるので、メディア・ゲートウェイＭＧＷ１からメディア・ゲートウェイＭＧＷ２に対する設定を制御する中継交換局ＴＳＣ２の代わりに、ＧＭＳＣが設定を制御できる。
【００７４】
この場合、それぞれネットワークの端部にある２つのＭＧＷだけが使用される。
【００７５】
転送されたユーザ・データを圧縮するために、メディア・ゲートウェイＭＧＷ１とメディア・ゲートウェイＭＧＷ２の両方のメディア・ゲートウェイ内に、中継交換局ＴＳＣ２によって、トランスコーダがオプションで結合される。
【００７６】
１．    ＩＳＤＮ、アドレス・メッセージＩＡＭ（ＯＰＣ、ＤＰＣ、ＣＩＣ）
外部ＩＳＤＮネットワークから、移動体で終端する発呼への呼の設定が要求される。この例では、ＧＭＳＣ及びシグナリング・ゲートウェイ１が併置されている。
【００７７】
２．    ＤＣＰ、リソース要求（ＭＧＷ１、ＣＩＣ）
ＩＳＤＮネットワークの中継スイッチ１によって選択されたＣＩＣによって識別される着信呼に対するリソースが要求される。
【００７８】
３．    ＤＣＰ、リソース応答（Ｐｉ１、Ｐｖ１１）
着信ポイントＰｉ１及び仮想ポイントＰｖ１１がメディア・ゲートウェイＭＧＷ１から返される。
【００７９】
４．    ＭＡＰ、ルーティング情報送信要求
ＧＭＳＣが、ホーム・ロケーション・レジスタＨＬＲにルーティング情報を問い合わせる。
【００８０】
５．    ＭＡＰ、ルーティング情報送信応答
通知が発ユーザに与えられる場合、ＧＭＳＣが、転送先の番号及び表示を受信する。ホーム・ロケーション・レジスタＨＬＲから受信した転送先番号が分析され、中継交換局ＴＳＣ２及びオプションのメディア・ゲートウェイＭＧＷ２のアドレスはＢ番号分析から受信される。
【００８１】
６．    ＩＳＤＮ、アドレス完了メッセージＡＣＭ
ＡＣＭメッセージがＧＭＳＣから中継スイッチ１に送られる。ＡＭメッセージには、帯域外通知が含まれてもよい。これはアナウンス装置のリンクに入る及びそこから出るシグナリングと、ユーザ・プレーン伝送とを節約する。
【００８２】
７．    オプションのＤＣＰ、接続アナウンス装置（Ｐｉ１）
オプションで、帯域内通知が必要であれば、アナウンス装置が接続される。
【００８３】
８．    オプションのＤＣＰ、切断アナウンス装置（Ｐｉ１）
アナウンスの後、アナウンス装置は切断される。
【００８４】
９．    オプションのＤＣＰ、スルー接続（Ｐｉ１、Ｐｖ１１）
ＧＭＳＣが、メディア・ゲートウェイＭＧＷ１に着信ポイントＰｉ１及び仮想ポイントＰｖ１１のスルー接続を命令する。オプションで、メディア・ゲートウェイＭＧＷ１接続全体が、スルー接続（Ｐｉ１、Ｐｏ１）メッセージで１つのＤＣＰにスルー接続され得る。これはＩＴＵ−ＩＳＤＮ仕様に沿っている。
【００８５】
１０．  ＩＳＤＮ、アドレス・メッセージＩＡＭ（ＭＧＷ１、Ｐｖ１１、ＯＰＣ、ＤＰＣ、ＣＩＣ）
ＩＡＭメッセージが、ＧＭＳＣからメディア・ゲートウェイを制御する中継交換局ＴＳＣ２に送信される。中継交換局ＴＳＣ２において着信接続を識別するのに、メディア・ゲートウェイＭＧＷ１のアドレス及びＰｖ１１あるいはオプションでＯＰＣ、ＤＰＣ、ＣＩＣが使用され得る。
【００８６】
１１．  ＤＣＰ、リソース要求（ＭＧＷ２）
そのＣＩＣによって識別される呼に対するリソースが要求される。
【００８７】
１２．  ＤＣＰ、リソース応答（Ｐｉ２、Ｐｖ２１）
着信ポイントＰｉ２及び仮想ポイントＰｖ２１が、メディア・ゲートウェイＭＧＷ２から返される。
【００８８】
１３．  ＤＣＰ、接続設定（ＭＧＷ１、ＭＧＷ２、Ｐｖ１１、Ｐｉ２）
中継交換局ＴＳＣ２が、その仮想ＣＩＣで識別される発信呼に対するリソースを要求し、メディア・ゲートウェイＭＧＷ１にメディア・ゲートウェイＭＧＷ２内のＰｉ２に対する接続を設定するよう命令する。
【００８９】
１４．  ＡＡＬ２、確立要求
１５．  ＡＡＬ２、確立確認
１６．  ＤＣＰ、接続設定要求（Ｐｏ１）
メディア・ゲートウェイＭＧＷ１が、発信接続が成功裏に設定されたという信号を返信し、発信ポイントＰｏ１を返す。
【００９０】
１７．  ＤＣＰ、スルー接続（Ｐｏ１、Ｐｖ１１）
中継交換局ＴＳＣ２が、メディア・ゲートウェイＭＧＷ１に発信ポイントＰｏ１及び仮想ポイントＰｖ１１のスルー接続を命令する。オプションで、メディア・ゲートウェイＭＧＷ１接続全体が、スルー接続（Ｐｉ１、Ｐｏ１）メッセージで１つのＤＣＰにスルー接続され得る。
【００９１】
１８．  オプションのＤＣＰ、スルー接続（Ｐｏ１、Ｐｖ２）
中継交換局ＴＳＣ２が、メディア・ゲートウェイＭＧＷ２に着信ポイントＰｉ２及び仮想ポイントＰｖ２１のスルー接続を命令する。
【００９２】
１９．  ＤＣＰ、接続設定（ＭＧＷ２、Ｐｖ２１）
中継交換局ＴＳＣ２が、その仮想ＣＩＣによって識別される発信呼に対するリソースを要求し、メディア・ゲートウェイＭＧＷ２に中継スイッチ２に対する接続の設定を命令する。
【００９３】
２０．  ＤＣＰ、接続設定応答（Ｐｏ２、ＣＩＣ）
メディア・ゲートウェイＭＧＷ２が、発信接続が成功裏に設定されたという信号を返信し、発信ポイントＰｏ２を返す。
【００９４】
２１．  ＤＣＰ、スルー接続（Ｐｏ２、Ｐｖ２１）
中継交換局ＴＳＣ２が、メディア・ゲートウェイＭＧＷ２に発信ポイントＰｏ２及び仮想ポイントＰｖ２１のスルー接続を命令する。
【００９５】
２２．  ＩＳＤＮ、アドレス・メッセージＩＡＭ（ＯＰＣ、ＤＰＣ、ＣＩＣ）
ＩＡＭメッセージが、中継交換局ＴＳＣ２から中継スイッチ２に送信される。
【００９６】
２３．  ＩＳＤＮ、アドレス完了メッセージＡＣＭ
２４．  ＩＳＤＮ、呼の手続ＣＰＧ
２５．  ＩＳＤＮ、呼の手続ＣＰＧ
２６．  ＩＳＤＮ、応答メッセージＡＮＷ
２７．  ＩＳＤＮ、応答メッセージＡＮＷ
ＡＮＭメッセージが、中継交換局ＴＳＣ２によって伝えられる。
【００９７】
２８．  ＩＳＤＮ、応答ＡＮＭ
ＡＮＭメッセージが、ＧＭＳＣによって伝えられる。
【００９８】
図４は、ＧＭＳＣにおけるネットワーク内でＵＥ番号で識別されるＵＥ加入者への着信転送を示している。メディア・ゲートウェイ・アドレスは順方向に転送されている。
【００９９】
ＧＭＳＣにおけるＵＥへの後続する転送のため、ゲートウェイ移動通信交換局ＧＭＳＣ２に代えて、いくつかのＧＭＳＣを含める必要がある。この場合、ユーザ・プレーンに影響を及ぼす全ての制御サーバによって使用され得る、１つのゲートウェイ移動通信交換局だけが使用される。着信移動通信交換局ＭＳＣによってトランスコーダが組み込まれる。着信側では、例えばＰＣＭ符号化が使用され、送信側ではユーザ機器ＵＥ１と取り決められた符号化が使用される。
【０１００】
１．    ＩＳＤＮ、ＩＡＭ（ＯＰＣ、ＤＰＣ、ＣＩＣ）
外部ＩＳＤＮネットワークから移動端末で終端する発呼に対する呼の設定が要求される。この例では、ゲートウェイ移動通信交換局／中継交換局ＧＭＳＣ１／ＴＳＣ１及びシグナリング・ゲートウェイ１が併置されている。
【０１０１】
２．    ＤＣＰ、リソース要求（ＭＧＷ１、ＣＩＣ）
メディア・ゲートウェイＭＧＷ１から、ＩＳＤＮネットワークの中継スイッチによって選択されたＣＩＣによって識別される呼に対するリソースが要求される。
【０１０２】
３．    ＤＣＰ、リソース応答（Ｐｉ１、Ｐｖ１１）
着信ポイントＰｉ１及び仮想ポイントＰｖ１１がメディア・ゲートウェイＭＧＷ１から返される。
【０１０３】
４．    ＭＡＰ、ルーティング情報送信要求
ゲートウェイ移動通信交換局ＧＭＳＣ１が、ホーム・ロケーション・レジスタＨＬＲにルーティング情報を問い合わせる。
【０１０４】
５．    ＭＡＰ、ルーティング情報送信応答
通知が発ユーザに与えられる場合、ゲートウェイ移動通信交換局ＧＭＳＣ１が、転送先の番号と表示を受信する。
【０１０５】
６．    ＩＳＤＮ、アドレス完了メッセージＡＣＭ
ＡＣＭメッセージが、ゲートウェイ移動通信交換局／中継交換局ＧＭＳＣ１／ＴＳＣ１から中継スイッチ１に送信される。ＡＣＭメッセージには、帯域外通知が含まれてもよい。これはアナウンス装置のリンクに入る及びそこから出るシグナリングと、ユーザ・プレーン伝送とを節約する。
【０１０６】
７．    オプションのＤＣＰ、アナウンス装置接続（Ｐｉ１）
帯域内通知が要求されている場合、オプションでアナウンス装置が接続される。
【０１０７】
８．    オプションのＤＣＰ、アナウンス装置切断（Ｐｉ１）
アナウンスの後に、アナウンス装置が切断される。
【０１０８】
９．    オプションのＤＣＰ、スルー接続（Ｐｉ１、Ｐｖ１１）
ゲートウェイ移動通信交換局／中継交換局ＧＭＳＣ１／ＴＳＣ１が、メディア・ゲートウェイＭＧＷ１に着信ポイントＰｉ１及び仮想ポイントＰｖ１１のスルー接続を命令する。オプションで、メディア・ゲートウェイＭＧＷ１の接続全体が、スルー接続（Ｐｉ１、Ｐｏ１）メッセージで１つのＤＣＰにスルー接続され得る。
【０１０９】
１０．  ＩＳＤＮ、アドレス・メッセージＩＡＭ（ＭＧＷ１、Ｐｖ１１、ＯＰＣ、ＤＰＣ、ＣＩＣ）
ＩＡＭメッセージが、ゲートウェイ移動通信交換局／中継交換局ＧＭＳＣ１／ＴＳＣ１からゲートウェイ移動通信交換局ＧＭＳＣ２に送信される。ゲートウェイ移動通信交換局ＧＭＳＣ２において着信接続を識別するのに、メディア・ゲートウェイＭＧＷ１のアドレス及びＰｖ１１あるいはオプションでＯＰＣ、ＤＰＣ、ＣＩＣが使用され得る。
【０１１０】
１１．  ＤＣＰ、リソース要求（ＭＧＷ１、Ｐｖ１１）
そのＣＩＣによって識別される呼に対するリソースが要求される。
【０１１１】
１２．  ＤＣＰ、リソース応答（Ｐｖ１２）
仮想ポイントＰｖ１２がメディア・ゲートウェイＭＧＷ１から返される。
【０１１２】
１３．  オプションのＤＣＰ、スルー接続（Ｐｖ１１、Ｐｖ１２）
ゲートウェイ移動通信交換局ＧＭＳＣ２が、メディア・ゲートウェイＭＧＷ１に仮想ポイントＰｖ１１及び仮想ポイントＰｖ１２のスルー接続を命令する。オプションで、メディア・ゲートウェイＭＧＷ１の接続全体が、スルー接続（Ｐｉ１、Ｐｏ１）メッセージで１つのＤＣＰにスルー接続され得る。
【０１１３】
１４．  ＭＡＰ、ルーティング情報送信要求
ゲートウェイ移動通信交換局ＧＭＳＣ２が、ＨＬＲから移動通信交換局ＭＳＣのアドレスを受信する。
【０１１４】
１５．  ＭＡＰ、ルーティング情報送信要求
ゲートウェイ移動通信交換局ＧＭＳＣ２が、ＨＬＲから移動通信交換局ＭＳＣのアドレスを受信する。
【０１１５】
１６．  ＩＳＤＮ、アドレス・メッセージＩＡＭ（ＭＧＷ１、Ｐｖ１２、ＯＰＣ、ＤＰＣ、ＣＩＣ）
ＩＡＭメッセージが、ゲートウェイ移動通信交換局ＧＭＳＣ２から移動通信交換局ＭＳＣに送信される。
【０１１６】
１７．  ＤＣＰ、リソース要求（ＭＧＷ１、Ｐｖ１２）
そのＣＩＣで識別される呼に対するリソースが要求される。
【０１１７】
１８．  ＤＣＰ、リソース応答（Ｐｏ１）
メディア・ゲートウェイＭＧＷ１から発信ポイントＰｏ１が返される。
【０１１８】
１９．  ＤＣＰ、スルー接続（Ｐｏ１、Ｐｖ１２）
移動通信交換局ＭＳＣが、メディア・ゲートウェイＭＧＷ１に仮想ポイントＰｖ１２及び発信ポイントＰｏ１のスルー接続を命令する。オプションで、メディア・ゲートウェイＭＧＷ１の接続全体が、スルー接続（Ｐｉ１、Ｐｏ１）メッセージで１つのＤＣＰにスルー接続され得る。
【０１１９】
２０．  ＲＡＮＡＰ、ページング
２１．  ＤＴＡＰ、ページング応答
２２．  ＤＴＡＰ、設定
２３．  ＤＴＡＰ、呼の確認
２４．  ＲＡＮＡＰ、割当て要求
２５．  ＡＡＬ２、確立要求
２６．  ＡＡＬ２、確立確認
２７．  ＲＡＮＡＰ、割当て応答
２８．  ＤＴＡＰ、アラート
２９．  ＩＳＤＮ、アドレス完了メッセージＡＣＭ
３０．  ＩＳＤＮ、呼の手続ＣＰＧ
３１．  ＩＳＤＮ、呼の手続ＣＰＧ
３２．  ＤＴＡＰ、接続
３３．  ＤＴＡＰ、接続ＡＣＫ
３４．  ＩＳＵＰ、応答メッセージＡＮＭ
３５．  ＩＳＵＰ、応答メッセージＡＮＭ
３６．  ＩＳＵＰ、応答メッセージＡＮＭ。
【０１２０】
図５は、ＧＭＳＣ内での着信転送を伴う、ユーザ機器からユーザ機器番号で識別される加入者への呼を示している。メディア・ゲートウェイ・アドレスは順方向に転送される。
【０１２１】
ユーザ・プレーンのルーティングの最適化を保証するためには、３つの代替的方法がある。第１の方法では、メディア・ゲートウェイＭＧＷ１は移動通信交換局ＭＳＣ２内で選択される。そして、メディア・ゲートウェイＭＧＷ１のアドレスは、ＩＳＵＰ  ＡＣＭ／ＣＰＧあるいは何らかの新たなメッセージと共に発信移動通信交換局ＭＳＣ１に転送される。移動通信交換局ＭＳＣ１は、無線ネットワーク・コントローラＲＮＣ１にメディア・ゲートウェイＭＧＷ１に対するユーザ・プレーン接続を設定するよう命令し、メディア・ゲートウェイＭＧＷ１にスルー接続を命令する。移動通信交換局ＭＳＣ２は、メディア・ゲートウェイＭＧＷ１に対するユーザ・プレーン接続を設定するよう命令する。
【０１２２】
第２の方法は、無線ネットワーク・コントローラにメディア・ゲートウェイを結合せずに接続するよう命令し、移動体から移動体への場合にだけ可能である。
【０１２３】
第３の方法は、発信交換局がメディア・ゲートウェイＭＧＷ１を選択し、メディア・ゲートウェイＭＧＷ１のアドレスをＩＳＵＰ  ＩＡＭメッセージと共に移動通信交換局ＭＳＣ２に順方向で転送する。この方法は第１の方法と組合せることにより最適化され得る。そのため、メディア・ゲートウェイのアドレスが逆方法で受信された場合、移動通信交換局ＭＳＣ１は無線ネットワーク・コントローラＲＮＣ１に対する後続する割当てを実行できる。以下では最適化されてない第３の方法を説明する。
【０１２４】
ＧＭＳＣにおけるＵＥへの後続する転送のために、移動通信交換局ＧＭＳＣ２の代わりにいくつかのＧＭＳＣを含める必要がある。この場合、ユーザ・プレーンに影響を及ぼす全ての制御サーバによって使用され得る、１つのメディア・ゲートウェイだけが使用される。終端が未知であるので、発信ＭＳＣによってトランスコーダが組み込まれる。無線ネットワーク・コントローラＲＮＣ１側では、ユーザ機器ＵＥ１と取り決められた符号化が使用され、発信側ではデフォルトの符号化が使用される。着信移動通信交換局ＭＳＣ２は、一方でデフォルトの符号化を選択し、無線ネットワーク・コントローラＲＮＣ２側ではユーザ機器ＵＥ２と取り決めた符号化を選択する。組み込まれたコーデックを両方に備えるメディア・ゲートウェイだけを使用する場合、ユーザ機器ＵＥ１及びユーザ機器ＵＥ２が同じタイプであれば、メディア・ゲートウェイは両方のコーデックの結合を切り離すことを決定できる。
【０１２５】
１．    ＤＴＡＰ、ＣＭサービス要求
２．    ＤＴＡＰ、設定
３．    ＤＴＡＰ、呼の手続
４．    ＤＣＰ、リソース要求（ＭＧＷ１）
５．    ＤＣＰ、リソース応答（Ｐｉ１、Ｐｖ１１）
着信ポイントＰｉ１及び仮想ポイントＰｖ１１がメディア・ゲートウェイＭＧＷ１から返される。
【０１２６】
６．    ＤＣＰ、スルー接続（Ｐｉ１、Ｐｖ１１）
移動通信交換局ＭＳＣ１が、メディア・ゲートウェイＭＧＷ１に着信ポイントＰｉ１及び仮想ポイントＰｖ１１の逆方向スルー接続を命令する。
【０１２７】
７．    ＲＡＮＡＰ、割当て要求
８．    ＡＡＬ２、確立要求
９．    ＡＡＬ２、確立確認
１０．  ＲＡＮＡＰ、割当て応答
１１．  ＩＳＤＮ、アドレス・メッセージＩＡＭ（ＭＧＷ１、Ｐｖ１１、ＯＰＣ、ＤＰＣ、ＣＩＣ）
発信移動通信交換局ＭＳＣ１から呼の設定が要求される。ゲートウェイ移動通信交換局／中継交換局ＧＭＳＣ／ＴＳＣにおいて、着信接続を識別するのに、メディア・ゲートウェイＭＧＷ１のアドレス及びＰｖ１１あるいはオプションでＯＰＣ、ＤＰＣ、ＣＩＣが使用され得る。
【０１２８】
１２．  ＤＣＰ、リソース要求（ＭＧＷ１、Ｐｖ１１）
１３．  ＤＣＰ、リソース応答（Ｐｉ１２）
メディア・ゲートウェイＭＧＷ１から仮想ポイントＰｖ１２が返される。
【０１２９】
１４．  オプションのＤＣＰ、スルー接続（Ｐｖ１２、Ｐｖ１１）
ゲートウェイ移動通信交換局ＧＭＳＣ１が、メディア・ゲートウェイＭＧＷ１に着信ポイントＰｖ１２及び仮想ポイントＰｖ１１のスルー接続を命令する。オプションで、メディア・ゲートウェイＭＧＷ１の接続が、スルー接続（Ｐｉ１、Ｐｏ１）メッセージで１つのＤＣＰにスルー接続され得る。
【０１３０】
１５．  ＭＡＰ、ルーティング情報送信要求
ゲートウェイ移動通信交換局ＧＭＳＣ１が、ホーム・ロケーション・レジスタＨＬＲにルーティング情報を問い合わせる。
【０１３１】
１６．  ＭＡＰ、ルーティング情報送信応答
発ユーザに表示が与えられている場合、ゲートウェイ移動通信交換局ＧＭＳＣ１が、転送先番号と表示を受信する。
【０１３２】
１７．  オプションのＩＳＤＮ、アドレス完了メッセージＡＣＭ
ＡＣＭメッセージが、ゲートウェイ移動通信交換局ＧＭＳＣ１からＭＳＣに送信される。
【０１３３】
１８．  ＩＳＤＮ、アドレス・メッセージＩＡＭ（ＭＧＷ１、Ｐｖ１２、ＯＰＣ、ＤＰＣ、ＣＩＣ）
ＩＡＭメッセージがゲートウェイ移動通信交換局ＧＭＳＣ１からゲートウェイ移動通信交換局ＧＭＳＣ２へ送信される。ゲートウェイ移動通信交換局ＧＭＳＣ２において、着信接続を識別するのに、メディア・ゲートウェイＭＧＷ１のアドレス及びＰｖ１２あるいはオプションでＯＰＣ、ＤＰＣ、ＣＩＣが使用され得る。
【０１３４】
１９．  ＤＣＰ、リソース要求（ＭＧＷ１、Ｐｖ１２）
そのＣＩＣによって識別される呼に対するリソースが要求される。
【０１３５】
２０．  ＤＣＰ、リソース応答（Ｐｖ１３）
仮想ポイントＰｖ１３がメディア・ゲートウェイＭＧＷ１から返される。
【０１３６】
２１．  オプションのＤＣＰ、スルー接続（Ｐｖ１３、Ｐｖ１２）
ゲートウェイ移動通信交換局ＧＭＳＣ２が、メディア・ゲートウェイＭＧＷ１に仮想ポイントＰｖ１３及び仮想ポイントＰｖ１２のスルー接続を命令する。オプションで、メディア・ゲートウェイＭＧＷ１の接続が、スルー接続（Ｐｖ１１、Ｐｏ１）メッセージで１つのＤＣＰにスルー接続され得る。
【０１３７】
２２．  ＭＡＰ、ルーティング情報送信要求
ゲートウェイ移動通信交換局ＧＭＳＣ２が、ホーム・ロケーション・レジスタＨＬＲにルーティング情報を問い合わせる。
【０１３８】
２３．  ＭＡＰ、ルーティング情報送信応答
ゲートウェイ移動通信交換局ＧＭＳＣ２が、ＨＬＲからＭＳＣアドレスを受信する。
【０１３９】
２４．  ＩＳＤＮ、アドレス・メッセージＩＡＭ（ＭＧＷ１、Ｐｖ１３、ＯＰＣ、ＤＰＣ、ＣＩＣ）
ＩＡＭメッセージが、ゲートウェイ移動通信交換局ＧＭＳＣ２からＭＳＣに送信される。
【０１４０】
２５．  ＤＣＰ、リソース要求（ＭＧＷ１、Ｐｖ１３）
そのＣＩＣで識別される呼に対するリソースが要求される。
【０１４１】
２６．  ＤＣＰ、リソース応答（Ｐｏ１）
発信ポイントＰｏ１がメディア・ゲートウェイＭＧＷ１から返される。
【０１４２】
２７．  ＤＣＰ、スルー接続（Ｐｏ１、Ｐｖ１３）
移動通信交換局ＭＳＣ２が、メディア・ゲートウェイＭＧＷ２に仮想ポイントＰｖ１３及び発信ポイントＰｏ１のスルー接続を命令する。オプションで、メディア・ゲートウェイＭＧＷ１の接続が、スルー接続（Ｐｖ１１、Ｐｏ１）メッセージで１つのＤＣＰにスルー接続され得る。
。
【０１４３】
２８．  ＲＡＮＡＰ、ページング
２９．  ＤＴＡＰ、ページング要求
３０．  ＤＴＡＰ、設定
３１．  ＤＴＡＰ、呼の確認
３２．  ＲＡＮＡＰ、割当て要求
３３．  ＡＡＬ２、確立要求
３４．  ＡＡＬ２、確立確認
３５．  ＲＡＮＡＰ、割当て応答
３６．  ＤＴＡＰ、アラート
３７．  ＩＳＤＮ、アドレス完了メッセージＡＣＭ
３８．  ＩＳＤＮ、呼の手続ＣＰＧ
３９．  ＩＳＤＮ、呼の手続ＣＰＧ
４０．  ＩＳＤＮ、呼の手続ＣＰＧ
４１．  ＤＴＡＰ、接続
４２．  ＤＴＡＰ、接続ＡＣＫ
４３．  ＩＳＵＰ、アドレス完了メッセージＡＮＭ
４４．  ＩＳＵＰ、アドレス完了メッセージＡＮＭ
４５．  ＩＳＵＰ、アドレス完了メッセージＡＮＭ
４６．  ＤＣＰ、スルー接続（Ｐｖ１１、Ｐｉ１）
移動通信交換局ＭＳＣ１が、メディア・ゲートウェイＭＧＷ１に着信ポイントＰｉ１及び仮想ポイントＰｖ１１のスルー接続を命令する。
【０１４４】
４７．  ＤＴＡＰ、接続
４８．  ＤＴＡＰ、接続ＡＣＫ。
【０１４５】
図６は、移動通信交換局ＭＳＣにおけるＩＳＤＮ番号で識別されるＩＳＤＮ加入者への着信転送を示している。メディア・ゲートウェイ。アドレスは順方向に転送される。
【０１４６】
この例では、移動通信交換局における条件つき着信転送が説明されている。ここで説明されているのはＣＦＮＲＹであり、ＵＥのユーザが呼に応答しない場合、呼はＩＳＤＮ番号に転送される必要がある。ＣＦＮＲＹの場合には、ＵＥがページングに応答しなければ、１２から２２のステップは省略される。ここでの例では、それぞれネットワークの端部にある２つのＭＧＷだけが使用される。転送されたユーザ・データを圧縮するために、両方のメディア・ゲートウェイ内にＴＳＣによって、トランスコーダがオプションで結合される。ＳＴＭ側では、例えばＰＣＭ符号化が使用され、他方の側ではＣＮでデフォルトの符号化が使用される。
【０１４７】
１．    ＩＳＤＮ、アドレス・メッセージＩＡＭ（ＯＰＣ、ＤＰＣ、ＣＩＣ）
外部ＩＳＤＮネットワークから移動体で終端する発呼に対する呼の設定が要求される。この例では、ゲートウェイ移動通信交換局／中継交換局ＧＭＳＣ１スタＴＳＣ１と紙グラリング・ゲートウェイ１とが併置されている。
【０１４８】
２．    ＤＣＰ、リソース要求（ＭＧＷ１、ＣＩＣ）
ＩＳＤＮの中継スイッチによって選択されたＣＩＣによって識別される呼に対するリソースが要求される。
【０１４９】
３．    ＤＣＰ、リソース応答（Ｐｉ１、Ｐｖ１１）
着信ポイントＰｉ１及び仮想ポイントＰｖ１１がメディア・ゲートウェイＭＧＷ１から返される。
【０１５０】
４．    ＭＡＰ、ルーティング情報送信要求
ゲートウェイ移動通信交換局ＧＭＳＣ１が、ホーム・ロケーション・レジスタＨＬＲにルーティング情報を問い合わせる。
【０１５１】
５．    ＭＡＰ、ルーティング情報送信応答
ゲートウェイ移動通信交換局ＧＭＳＣ１が、移動通信交換局ＭＳＣのアドレスを受信する。
【０１５２】
６．    ＩＳＤＮ、アドレス完了メッセージＡＣＭ
ＡＣＭメッセージがＧＭＳＣから中継スイッチ１に送信される。
【０１５３】
７．    オプションのＤＣＰ、スルー接続（Ｐｉ１、Ｐｖ１１）
ＧＭＳＣが、メディア・ゲートウェイＭＧＷ１に着信ポイントＰｉ１及び仮想ポイントＰｖ１１のスルー接続を命令する。オプションで、メディア・ゲートウェイＭＧＷ１の接続全体が、スルー接続（Ｐｉ１、Ｐｏ１）メッセージで１つのＤＣＰにスルー接続され得る。
【０１５４】
８．    ＩＳＤＮ、アドレス・メッセージＩＡＭ（ＭＧＷ１、Ｐｖ１１、ＯＰＣ、ＤＰＣ、ＣＩＣ）
ＩＡＭメッセージが、ＧＭＳＣから移動通信交換局ＭＳＣに送信される。移動通信交換局ＭＳＣにおいて着信接続を識別するのに、メディア・ゲートウェイＭＧＷ１のアドレス及びＰｖ１１あるいはオプションでＯＰＣ、ＤＰＣ、ＣＩＣが使用され得る。
【０１５５】
９．    ＤＣＰ、リソース要求（ＭＧＷ１、Ｐｖ１１）
そのＣＩＣで識別される呼に対するリソースが要求される。
【０１５６】
１０．  ＤＣＰ、リソース応答（Ｐｏ１）
発信ポイントＰｏ１がメディア・ゲートウェイＭＧＷ１から返される。
【０１５７】
１１．  ＤＣＰ、スルー接続（Ｐｖ１１、Ｐｏ１）
移動通信交換局ＭＳＣが、メディア・ゲートウェイＭＧＷ１に仮想ポイントＰｖ１１及び発信ポイントＰｏ１のスルー接続を命令する。オプションで、メディア・ゲートウェイＭＧＷ１の接続全体が、スルー接続（Ｐｉ１、Ｐｏ１）メッセージで１つのＤＣＰにスルー接続され得る。
【０１５８】
１２．  ＲＡＮＡＰ、ページング
１３．  ＤＴＡＰ、ページング応答
１４．  ＤＴＡＰ、設定
１５．  ＤＴＡＰ、呼の確認
１６．  ＲＡＮＡＰ、割当て要求
１７．  ＡＡＬ２、確立要求
１８．  ＡＡＬ２、確立確認
１９．  ＲＡＮＡＰ、割当て要求
２０．  ＤＴＡＰ、アラート
２１．  ＩＳＤＮ、アドレス完了メッセージＡＣＭ
２２．  ＩＳＤＮ、呼の手続ＣＰＧ
２３．  ＲＡＮＡＰ、Ｉｕ解放コマンド
２４．  ＡＡＬ２、解放要求
２５．  ＡＡＬ２、解放確認
２６．  ＲＡＮＡＰ、Ｉｕ解放完了
２７．  オプションのＤＣＰ、アナウンス装置接続（Ｐｖ１１）
帯域内通知が要求されている場合、オプションでアナウンス装置が接続される。
【０１５９】
２８．  オプションのＤＣＰ、アナウンス装置切断（Ｐｖ１１）
アナウンスの後でアナウンス装置が切断される。
【０１６０】
２９．  ＩＳＤＮ、アドレス・メッセージＩＡＭ（ＭＧＷ１、Ｐｏ１、ＯＰＣ、ＤＰＣ、ＣＩＣ）
ＩＡＭメッセージが移動通信交換局ＭＳＣから中継交換局ＴＳＣ２に送信される。移動通信交換局ＭＳＣにおいて着信接続を識別するのに、メディア・ゲートウェイＭＧＷ１のアドレス及びＰｖ１１あるいはオプションでＯＰＣ、ＤＰＣ、ＣＩＣが使用され得る。
【０１６１】
３０．  ＤＣＰ、リソース要求（ＭＧＷ２）
そのＣＩＣで識別される呼に対するリソースが要求される。
【０１６２】
３１．  ＤＣＰ、リソース応答（Ｐｉ２、Ｐｖ２１）
着信ポイントＰｉ２及び仮想ポイントＰｖ２１が、メディア・ゲートウェイＭＧＷ２から返される。
【０１６３】
３２．  ＤＣＰ、接続設定（ＭＧＷ１、メディア・ゲートウェイＭＧＷ２、Ｐｏ１、Ｐｉ２）
中継交換局ＴＳＣ２が、その仮想ＣＩＣで識別される発呼に対して既に確保されたリソースを要求し、メディア・ゲートウェイＭＧＷ１にメディア・ゲートウェイＭＧＷ２内のＰｉ２に対する接続を設定するよう命令する。
【０１６４】
３３．  ＡＡＬ２、確立要求
３４．  ＡＡＬ２、確立確認
３５．  ＤＣＰ、接続設定応答（Ｐｏ１）
メディア・ゲートウェイＭＧＷ１が、発信接続が成功裏に設定されたという信号を返信し、発信ポイントＰｏ１を返す。
【０１６５】
３６．  ＤＣＰ、スルー接続（Ｐｏ１、Ｐｖ１１）
中継交換局ＴＳＣ２が、メディア・ゲートウェイＭＧＷ１に発信ポイントＰｏ１及び仮想ポイントＰｖ１１のスルー接続を命令する。オプションのＤＣＰの場合、Ｐｖ１１  Ｐｉ１が使用される必要がある代わりに、スルー接続（Ｐｉ２、Ｐｖ１１）が省略される。
【０１６６】
３７．  オプションのＤＣＰ、スルー接続（Ｐｉ２、Ｐｖ２１）
中継交換局ＴＳＣ２が、メディア・ゲートウェイＭＧＷ２に着信ポイントＰｉ２及び仮想ポイントＰｖ２１のスルー接続を命令する。
【０１６７】
３８．  ＤＣＰ、接続設定（ＭＧＷ２、Ｐｖ２１）
中継交換局ＴＳＣ２が、その仮想ＣＩＣで識別される発呼に対するリソースを要求し、メディア・ゲートウェイＭＧＷ２に中継スイッチ２に対する接続を設定するよう命令する。
【０１６８】
３９．  ＤＣＰ、接続設定応答（Ｐｏ２、ＣＩＣ）
メディア・ゲートウェイＭＧＷ２が、発信接続が成功裏に設定されたという信号を返信し、発信ポイントＰｏ２を返す。
【０１６９】
４０．  ＤＣＰ、スルー接続（Ｐｏ２、Ｐｖ２１）
中継交換局ＴＳＣ２が、メディア・ゲートウェイＭＧＷ２に発信ポイントＰｏ２及び仮想ポイントＰｖ２１のスルー接続を命令する。
【０１７０】
４１．  ＩＳＤＮ、アドレス・メッセージＩＡＭ（ＯＰＣ、ＤＰＣ、ＣＩＣ）
ＩＡＭメッセージが中継交換局ＴＳＣ２から中継スイッチ２に送信される。
【０１７１】
４２．  ＩＳＤＮ、アドレス完了メッセージＡＣＭ
４３．  ＩＳＤＮ、呼の手続ＣＰＧ
４４．  ＩＳＤＮ、呼の手続ＣＰＧ
４５．  ＩＳＤＮ、呼の手続ＣＰＧ
４６．  ＩＳＤＮ、応答メッセージＡＮＭ
４７．  ＩＳＤＮ、応答メッセージＡＮＭ
４８．  ＩＳＤＮ、応答メッセージＡＮＭ
４９．  ＩＳＤＮ、応答メッセージＡＮＭ。
【０１７２】
図７は、異なったメディア・ゲートウェイにおける、コール・ウェイティング及びウェイティング・コールの受け入れを示している。メディア・ゲートウェイのアドレスは順方向に転送される。
【０１７３】
ここで加入者Ｂはサービスされるユーザ機器Ａを呼出しており、ユーザ機器Ａは付加サービスＣＷ及びＨＯＬＤを備えている。ＢからＡへの呼がアクティブとなった後、別の加入者ＣからＡへの着呼が受信される。加入者ＡはＣからのウェイティング・コールを受け入れ、従ってＢからの呼を保留にする必要がある。ユーザ・プレーンは、アクティブな呼のメディア・ゲートウェイから直接送られる。これは伝送には最適な方法であるが、Ｉｕインタフェースによる連続した割当てを必要とする。
【０１７４】
この場合、各呼に対して、ユーザ・プレーンに影響を及ぼす全ての制御サーバによって使用され得る１つのメディア・ゲートウェイだけが使用される。
【０１７５】
１．    ＩＳＤＮ、アドレス・メッセージＩＡＭ（ＯＰＣ、ＤＰＣ、ＣＩＣ）
外部ＩＳＤＮネットワークから、移動体で終端する発呼への呼の設定が要求される。この例では、ゲートウェイ移動通信交換局／中継交換局ＧＭＳＣ１／ＴＳＣ及びシグナリング・ゲートウェイ１が併置されている。
【０１７６】
２．    ＤＣＰ、リソース要求（ＭＧＷ１、ＣＩＣ）
ＩＳＤＮネットワークの中継スイッチ１によって選択されたＣＩＣによって識別される呼に対するリソースが要求される。
【０１７７】
３．    ＤＣＰ、リソース応答（Ｐｉ１、Ｐｖ１１）
着信ポイントＰｉ１及び仮想ポイントＰｖ１１がメディア・ゲートウェイＭＧＷ１から返される。
【０１７８】
４．    ＭＡＰ、ルーティング情報送信要求
ゲートウェイ移動通信交換局ＧＭＳＣ１が、ホーム・ロケーション・レジスタＨＬＲにルーティング情報を問い合わせる。
【０１７９】
５．    ＭＡＰ、ルーティング情報送信応答
ゲートウェイ移動通信交換局ＧＭＳＣ１が、移動通信交換局ＭＳＣのアドレスを受信する。
【０１８０】
６．    ＩＳＤＮ、アドレス完了メッセージＡＣＭ
ＡＣＭメッセージがゲートウェイ移動通信交換局／中継交換局ＧＭＳＣ１／ＴＳＣから中継スイッチ１に送られる。
【０１８１】
７．    オプションのＤＣＰ、スルー接続（Ｐｉ１、Ｐｖ１１）
ゲートウェイ移動通信交換局／中継交換局ＧＭＳＣ１／ＴＳＣが、メディア・ゲートウェイＭＧＷ１に着信ポイントＰｉ１及び仮想ポイントＰｖ１１のスルー接続を命令する。オプションで、メディア・ゲートウェイＭＧＷ１の接続全体が、スルー接続（Ｐｉ１、Ｐｏ１）メッセージで１つのＤＣＰにスルー接続され得る。
【０１８２】
８．    ＩＳＤＮ、アドレス・メッセージＩＡＭ（ＭＧＷ１、Ｐｖ１１、ＯＰＣ、ＤＰＣ、ＣＩＣ）
ＩＡＭメッセージが、ゲートウェイ移動通信交換局／中継交換局ＧＭＳＣ１／ＴＳＣから移動通信交換局ＭＳＣに送信される。移動通信交換局ＭＳＣにおいて着信接続を識別するのに、メディア・ゲートウェイＭＧＷ１のアドレス及びＰｖ１１あるいはオプションでＯＰＣ、ＤＰＣ、ＣＩＣが使用され得る。
【０１８３】
９．    ＤＣＰ、リソース要求（ＭＧＷ１、Ｐｖ１１）
そのＣＩＣで識別される呼に対するリソースが要求される。
【０１８４】
１０．  ＤＣＰ、リソース応答（Ｐｏ１）
発信ポイントＰｏ１がメディア・ゲートウェイＭＧＷ１から返される。
【０１８５】
１１．  ＤＣＰ、スルー接続（Ｐｖ１１、Ｐｏ１）
移動通信交換局ＭＳＣが、メディア・ゲートウェイＭＧＷ１に仮想ポイントＰｖ１１及び発信ポイントＰｏ１のスルー接続を命令する。オプションで、メディア・ゲートウェイＭＧＷ１の接続全体が、スルー接続（Ｐｉ１、Ｐｏ１）メッセージで１つのＤＣＰにスルー接続され得る。
【０１８６】
１２．  ＲＡＮＡＰ、ページング
１３．  ＤＴＡＰ、ページング応答
１４．  ＤＴＡＰ、設定
１５．  ＤＴＡＰ、呼の確認
１６．  ＲＡＮＡＰ、割当て要求
１７．  ＡＡＬ２、確立要求
１８．  ＡＡＬ２、確立確認
１９．  ＲＡＮＡＰ、割当て応答
２０．  ＤＴＡＰ、アラート
２１．  ＩＳＤＮ、アドレス完了メッセージＡＣＭ
２２．  ＩＳＤＮ、呼の手続ＣＰＧ
２３．  ＤＴＡＰ、接続
２４．  ＤＴＡＰ、接続ＡＣＫ
２５．  ＩＳＵＰ、応答メッセージＡＮＷ
２６．  ＩＳＵＰ、応答メッセージＡＮＷ
２７．  ＩＳＤＮ、アドレス・メッセージＩＡＭ（ＯＰＣ、ＤＰＣ、ＣＩＣ）
外部ＩＳＤＮネットワークから、移動体で終端する発呼への呼の設定が要求される。この例では、ゲートウェイ移動通信交換局ＧＭＳＣ２及びシグナリング・ゲートウェイ２が併置されている。
【０１８７】
２８．  ＤＣＰ、リソース要求（ＭＧＷ２、ＣＩＣ）
ＩＳＤＮネットワークの中継スイッチ２によって選択されたＣＩＣによって識別される呼に対するリソースが要求される。
【０１８８】
２９．  ＤＣＰ、リソース応答（Ｐｉ２、Ｐｖ１１）
着信ポイントＰｉ２及び仮想ポイントＰｖ２１がメディア・ゲートウェイＭＧＷ２から返される。
【０１８９】
３０．  ＭＡＰ、ルーティング情報送信要求
ゲートウェイ移動通信交換局ＧＭＳＣ２が、ホーム・ロケーション・レジスタＨＬＲにルーティング情報を問い合わせる。
【０１９０】
３１．  ＭＡＰ、ルーティング情報送信応答
ゲートウェイ移動通信交換局ＧＭＳＣ２が、移動通信交換局ＭＳＣのアドレスを受信する。
【０１９１】
３２．  ＩＳＤＮ、アドレス完了メッセージＡＣＭ
ＡＣＭメッセージがゲートウェイ移動通信交換局ＧＭＳＣ２から中継スイッチ２に送られる。
【０１９２】
３３．  オプションのＤＣＰ、スルー接続（Ｐｉ２、Ｐｖ２１）
ゲートウェイ移動通信交換局ＧＭＳＣ２が、メディア・ゲートウェイＭＧＷ２に着信ポイントＰｉ２及び仮想ポイントＰｖ２１のスルー接続を命令する。オプションで、メディア・ゲートウェイＭＧＷ２の接続全体が、スルー接続（Ｐｉ２、Ｐｏ２）メッセージで１つのＤＣＰにスルー接続され得る。
【０１９３】
３４．  ＩＳＤＮ、アドレス・メッセージＩＡＭ（ＭＧＷ２、Ｐｖ２１、ＯＰＣ、ＤＰＣ、ＣＩＣ）
ＩＡＭメッセージが、ゲートウェイ移動通信交換局ＧＭＳＣ２から移動通信交換局ＭＳＣに送信される。移動通信交換局ＭＳＣにおいて着信接続を識別するのに、メディア・ゲートウェイＭＧＷ２のアドレス及びＰｖ２１あるいはオプションでＯＰＣ、ＤＰＣ、ＣＩＣが使用され得る。
【０１９４】
３５．  ＤＣＰ、リソース要求（ＭＧＷ２、Ｐｖ２１）
そのＣＩＣによって識別される呼に対するリソースが要求される。
【０１９５】
３６．  ＤＣＰ、リソース応答（Ｐｏ２）
発信ポイントＰｏ２が、メディア・ゲートウェイＭＧＷ２から返される。
【０１９６】
３７．  ＤＣＰ、スルー接続（Ｐｖ２１、Ｐｏ１）
移動通信交換局ＭＳＣが、メディア・ゲートウェイＭＧＷ２に仮想ポイントＰｖ２１及び発信ポイントＰｏ２のスルー接続を命令する。オプションで、メディア・ゲートウェイＭＧＷ２の接続全体が、スルー接続（Ｐｉ２、Ｐｏ２）メッセージで１つのＤＣＰにスルー接続され得る。
【０１９７】
３８．  ＲＡＮＡＰ、ページング
３９．  ＤＴＡＰ、ページング応答
４０．  ＤＴＡＰ、設定
４１．  ＤＴＡＰ、呼の確認
４２．  ＤＴＡＰ、アラート
４３．  ＩＳＤＮ、アドレス完了メッセージＡＣＭ
４４．  ＩＳＤＮ、呼の手続ＣＰＧ
４５．  ＤＴＡＰ、ＨＯＬＤ（Ｂ）
４６．  ＤＴＡＰ、ＨＯＬＤ  ＡＣＫ
４７．  ＩＳＵＰ、呼の手続メッセージＣＰＧ（Ｂ保留）
４８．  ＩＳＵＰ、呼の手続メッセージＣＰＧ（Ｂ保留）
４９．  ＲＡＮＡＰ、割当て要求
５０．  ＡＡＬ２、解放要求
５１．  ＡＡＬ２、解放確認
５２．  ＡＡＬ２、確立要求
５３．  ＡＡＬ２、確立確認
５４．  ＲＡＮＡＰ、割当て応答
５５．  ＤＴＡＰ、接続
５６．  ＤＴＡＰ、接続ＡＣＫ
５７．  ＩＳＵＰ、応答メッセージＡＮＷ
５８．  ＩＳＵＰ、応答メッセージＡＮＷ。
【０１９８】
図８は、１つのメディア・ゲートウェイにおける、コール・ウェイティング及びウェイティング・コールの受け入れを示している。メディア・ゲートウェイのアドレスは順方向に転送される。
【０１９９】
ここで加入者Ｂはサービスされる移動体加入者Ａを呼出しており、移動体加入者Ａは付加サービスＣＷ及びＨＯＬＤを備えている。ＢからＡへの呼がアクティブとなった後、メディア・ゲートウェイＭＧＷ２を通じて別の加入者ＣからＡへの着呼が受信される。加入者ＡはＣからのウェイティング・コールを受け入れ、従ってＢからの呼を保留にする必要がある。ユーザ・プレーンは、メディア・ゲートウェイＭＧＷ２から第１のアクティブな呼のメディア・ゲートウェイＭＧＷ１へ送られる。そしてアクティブな呼は保留の呼となる。アクティブな呼とウェイティング・コールとの両方が、例えば音声などの同じサービスを用いていると想定し、そのため無線ネットワーク・コントローラＲＮＣとメディア・ゲートウェイＭＧＷ１との間のＡＡＬ２接続は再使用され得る。これはアクティブ及び保留の呼の間での高速な切り換えを可能とし、後でマルチユーザ通話が要求された場合、会議通話装置だけをメディア・ゲートウェイＭＧＷ１に接続すればよい。
【０２００】
この場合、各呼に対して、ユーザ・プレーンに影響を及ぼす全ての制御サーバによって使用され得る１つのメディア・ゲートウェイだけが使用される。ユーザ・プレーンの接続は１つのメディア・ゲートウェイに集められる。これはＢ及びＣの呼の間の高速な切り換えを可能とする。トランスコーダが、各呼について着信移動通信交換局ＭＳＣによって組み入れられる。着信側では、例えばＰＣＭ等の符号化が使用され、発信側ではＵＥと取り決められた符号化が使用される。
【０２０１】
１．    ＩＳＤＮ、アドレス・メッセージＩＡＭ（ＯＰＣ、ＤＰＣ、ＣＩＣ）
外部ＩＳＤＮネットワークから、移動体で終端する発呼への呼の設定が要求される。この例では、ゲートウェイ移動通信交換局／中継交換局ＧＭＳＣ１／ＴＳＣ及びシグナリング・ゲートウェイ１が併置されている。
【０２０２】
２．    ＤＣＰ、リソース要求（ＭＧＷ１、ＣＩＣ）
ＩＳＤＮネットワークの中継スイッチによって選択されたＣＩＣによって識別される呼に対するリソースが要求される。
【０２０３】
３．    ＤＣＰ、リソース応答（Ｐｉ２、Ｐｖ１１）
着信ポイントＰｉ１及び仮想ポイントＰｖ１１がメディア・ゲートウェイＭＧＷ１から返される。
【０２０４】
４．    ＭＡＰ、ルーティング情報送信要求
ゲートウェイ移動通信交換局ＧＭＳＣ１が、ホーム・ロケーション・レジスタＨＬＲにルーティング情報を問い合わせる。
【０２０５】
５．    ＭＡＰ、ルーティング情報送信応答
ゲートウェイ移動通信交換局ＧＭＳＣ１が、移動通信交換局ＭＳＣのアドレスを受信する。
【０２０６】
６．    ＩＳＤＮ、アドレス完了メッセージＡＣＭ
ＡＣＭメッセージがゲートウェイ移動通信交換局／中継交換局ＧＭＳＣ１／ＴＳＣから中継スイッチ１に送られる。
【０２０７】
７．    オプションのＤＣＰ、スルー接続（Ｐｉ１、Ｐｖ１１）
ゲートウェイ移動通信交換局／中継交換局ＧＭＳＣ１／ＴＳＣが、メディア・ゲートウェイＭＧＷ１に着信ポイントＰｉ１及び仮想ポイントＰｖ１１のスルー接続を命令する。オプションで、メディア・ゲートウェイＭＧＷ１の接続全体が、スルー接続（Ｐｉ２、Ｐｏ２）メッセージで１つのＤＣＰにスルー接続され得る。
【０２０８】
８．    ＩＳＤＮ、アドレス・メッセージＩＡＭ（ＭＧＷ１、Ｐｖ１１、ＯＰＣ、ＤＰＣ、ＣＩＣ）
ＩＡＭメッセージが、ゲートウェイ移動通信交換局／中継交換局ＧＭＳＣ１／ＴＳＣから移動通信交換局ＭＳＣに送信される。移動通信交換局ＭＳＣにおいて着信接続を識別するのに、メディア・ゲートウェイＭＧＷ１のアドレス及びＰｖ１１あるいはオプションでＯＰＣ、ＤＰＣ、ＣＩＣが使用され得る。
【０２０９】
９．    ＤＣＰ、リソース要求（ＭＧＷ１、Ｐｖ１１）
そのＣＩＣで識別される呼に対するリソースが要求される。
【０２１０】
１０．  ＤＣＰ、リソース応答（Ｐｏ１）
発信ポイントＰｏ１がメディア・ゲートウェイＭＧＷ１から返される。
【０２１１】
１１．  ＤＣＰ、スルー接続（Ｐｖ１１、Ｐｏ１）
移動通信交換局ＭＳＣが、メディア・ゲートウェイＭＧＷ１に仮想ポイントＰｖ１１及び発信ポイントＰｏ１のスルー接続を命令する。オプションで、メディア・ゲートウェイＭＧＷ１の接続全体が、スルー接続（Ｐｉ１、Ｐｏ１）メッセージで１つのＤＣＰにスルー接続され得る。
【０２１２】
１２．  ＲＡＮＡＰ、ページング
１３．  ＤＴＡＰ、ページング応答
１４．  ＤＴＡＰ、設定
１５．  ＤＴＡＰ、呼の確認
１６．  ＲＡＮＡＰ、割当て要求
１７．  ＡＡＬ２、確立要求
１８．  ＡＡＬ２、確立確認
１９．  ＲＡＮＡＰ、割当て応答
２０．  ＤＴＡＰ、アラート
２１．  ＩＳＤＮ、アドレス完了メッセージＡＣＭ
２２．  ＩＳＤＮ、呼の手続ＣＰＧ
２３．  ＤＴＡＰ、接続
２４．  ＤＴＡＰ、接続ＡＣＫ
２５．  ＩＳＵＰ、応答メッセージＡＮＷ
２６．  ＩＳＵＰ、応答メッセージＡＮＷ
２７．  ＩＳＤＮ、アドレス・メッセージＩＡＭ（ＯＰＣ、ＤＰＣ、ＣＩＣ）
外部ＩＳＤＮネットワークから、移動体で終端する発呼への呼の設定が要求される。この例では、ゲートウェイ移動通信交換局ＧＭＳＣ２及びシグナリング・ゲートウェイ２が併置されている。
【０２１３】
２８．  ＤＣＰ、リソース要求（ＭＧＷ２、ＣＩＣ）
ＩＳＤＮネットワークの中継スイッチ２によって選択されたＣＩＣによって識別される呼に対するリソースが要求される。
【０２１４】
２９．  ＤＣＰ、リソース応答（Ｐｉ２、Ｐｖ１１）
着信ポイントＰｉ２及び仮想ポイントＰｖ２１がメディア・ゲートウェイＭＧＷ２から返される。
【０２１５】
３０．  ＭＡＰ、ルーティング情報送信要求
ゲートウェイ移動通信交換局ＧＭＳＣ２が、ホーム・ロケーション・レジスタＨＬＲにルーティング情報を問い合わせる。
【０２１６】
３１．  ＭＡＰ、ルーティング情報送信応答
ゲートウェイ移動通信交換局ＧＭＳＣ２が、移動通信交換局ＭＳＣのアドレスを受信する。
【０２１７】
３２．  ＩＳＤＮ、アドレス完了メッセージＡＣＭ
ＡＣＭメッセージがゲートウェイ移動通信交換局ＧＭＳＣ２から中継スイッチ２に送られる。
【０２１８】
３３．  オプションのＤＣＰ、スルー接続（Ｐｉ２、Ｐｖ２１）
ゲートウェイ移動通信交換局ＧＭＳＣ２が、メディア・ゲートウェイＭＧＷ２に着信ポイントＰｉ２及び仮想ポイントＰｖ２１のスルー接続を命令する。オプションで、メディア・ゲートウェイＭＧＷ２の接続全体が、スルー接続（Ｐｉ２、Ｐｏ２）メッセージで１つのＤＣＰにスルー接続され得る。
【０２１９】
３４．  ＩＳＤＮ、アドレス・メッセージＩＡＭ（ＭＧＷ２、Ｐｖ２１、ＯＰＣ、ＤＰＣ、ＣＩＣ）
ＩＡＭメッセージが、ゲートウェイ移動通信交換局ＧＭＳＣ２から移動通信交換局ＭＳＣに送信される。移動通信交換局ＭＳＣにおいて着信接続を識別するのに、メディア・ゲートウェイＭＧＷ２のアドレス及びＰｖ２１あるいはオプションでＯＰＣ、ＤＰＣ、ＣＩＣが使用され得る。
【０２２０】
３５．  ＤＣＰ、リソース要求（ＭＧＷ１）
着信ＡＡＬ２接続に対するリソースが要求される。
【０２２１】
３６．  ＤＣＰ、リソース応答（Ｐｖ１２、Ｐｉ１１）
着信ポイントＰｉ１１が、メディア・ゲートウェイＭＧＷ１から返される。
【０２２２】
３７．  オプションのＤＣＰ、スルー接続（Ｐｖ１２、Ｐｉ１１）
移動通信交換局ＭＳＣが、メディア・ゲートウェイＭＧＷ１に仮想ポイントＰｖ１２及び着信ポイントＰｉ１１のスルー接続を命令する。オプションで、メディア・ゲートウェイＭＧＷ１の接続全体が、スルー接続（Ｐｉ１１、Ｐｏ２）メッセージで１つのＤＣＰにスルー接続され得る。
【０２２３】
３８．  ＲＡＮＡＰ、ページング
３９．  ＤＴＡＰ、ページング応答
４０．  ＤＴＡＰ、設定
４１．  ＤＴＡＰ、呼の確認
４２．  ＤＴＡＰ、アラート
４３．  ＩＳＤＮ、アドレス完了メッセージＡＣＭ
４４．  ＩＳＤＮ、呼の手続ＣＰＧ
４５．  ＤＴＡＰ、ＨＯＬＤ（Ｂ）
４６．  ＤＴＡＰ、ＨＯＬＤ  ＡＣＫ
４７．  ＩＳＵＰ、呼の手続メッセージＣＰＧ（Ｂ保留）
４８．  ＩＳＵＰ、呼の手続メッセージＣＰＧ（Ｂ保留）
４９．  ＤＣＰ、接続設定（ＭＧＷ１、メディア・ゲートウェイＭＧＷ２、Ｐｖ２１、Ｐｉ１１）
ＭＳＣが発信ＡＡＬ２接続に対するリソースを要求し、メディア・ゲートウェイＭＧＷ１に、メディア・ゲートウェイＭＧＷ１内のＰｉ１１に対する接続を設定するよう命令する。
【０２２４】
５０．  ＡＡＬ２、確立要求
５１．  ＡＡＬ２、確立確認
５２．  ＤＣＰ、接続設定応答（Ｐｏ２）
メディア・ゲートウェイＭＧＷ２が、発信接続が設定されたという信号を返送し、発信ポイントＰｏ２を返す。
【０２２５】
５３．  ＤＣＰ、スルー接続（Ｐｖ２１、Ｐｏ２）
移動通信交換局ＭＳＣが、メディア・ゲートウェイＭＧＷ２に仮想ポイントＰｖ２１及び発信ポイントＰｏ２のスルー接続を命令する。オプションで、メディア・ゲートウェイＭＧＷ２の接続全体が、スルー接続（Ｐｉ２、Ｐｏ２）メッセージで１つのＤＣＰにスルー接続され得る。
【０２２６】
５４．  ＤＣＰ、切断（Ｐｏ１、Ｐｖ１１）
５５．  ＤＣＰ、スルー接続（Ｐｖ１２、Ｐｏ２）
移動通信交換局ＭＳＣが、メディア・ゲートウェイＭＧＷ１に仮想ポイントＰｖ１２及び発信ポイントＰｏ２のスルー接続を命令する。オプションで、メディア・ゲートウェイＭＧＷ２の接続全体が、スルー接続（Ｐｉ２、Ｐｏ２）メッセージで１つのＤＣＰにスルー接続され得る。これは無線ネットワーク・コントローラＲＮＣ及びメディア・ゲートウェイＭＧＷ１間の既存のユーザ・プレーンを、加入者Ｃのユーザ・プレーンに接続する。
【０２２７】
５６．  ＤＴＡＰ、接続
５７．  ＤＴＡＰ、接続ＡＣＫ
５８．  ＩＳＵＰ、応答メッセージＡＮＷ
５９．  ＩＳＵＰ、応答メッセージＡＮＷ。
【０２２８】
図９は、ＭＰＴＹ呼を示している。メディア・ゲートウェイのアドレスは順方向に転送される。
【０２２９】
ここで加入者Ｂはサービスされるユーザ機器Ａを呼出しており、ユーザ機器Ａは付加サービスＣＷ、ＨＯＬＤ及びＭＰＴＹを備えている。ＢからＡへの呼がアクティブとなった後、メディア・ゲートウェイＭＧＷ２を通じて別の加入者ＣからＡへの着呼が受信される。加入者ＡはＣからのウェイティング・コールを受け入れ、従ってＢからの呼を保留にする必要がある。第２の呼のユーザ・プレーンは、メディア・ゲートウェイＭＧＷ２から第１のアクティブな呼のメディア・ゲートウェイＭＧＷ１へ送られる。移動通信交換局ＭＳＣは、メディア・ゲートウェイＭＧＷ１に前にアクティブであった呼をウェイティング・コールに切り換えるよう命令する。そしてアクティブな呼は保留の呼となる。アクティブな呼とウェイティング・コールとの両方が、例えば音声などの同じサービスを用いていると想定し、そのため無線ネットワーク・コントローラＲＮＣとメディア・ゲートウェイＭＧＷ１との間のＡＡＬ２接続は再使用され得る。ここでマルチユーザ通話が加入者Ａによって呼出される。従って、移動通信交換局ＭＳＣは、会議通話装置（ＣＣＤ）を組み入れる。ユーザ・プレーンが接続される前に、全てのユーザ・プレーンが、例えば６４ｋｂｉｔ／ｓのＰＣＭなどの同じフォーマットとなる必要がある。
【０２３０】
この場合、各呼に対して、ユーザ・プレーンに影響を及ぼす全ての制御サーバによって使用され得る１つのメディア・ゲートウェイだけが使用される。ユーザ・プレーンの接続は１つのメディア・ゲートウェイに集められる。これはＢ及びＣの呼の間の高速な切り換えを可能とする。
【０２３１】
トランスコーダが、各呼について着信移動通信交換局ＭＳＣによって組み入れられる。着信側では、例えばＰＣＭ等の符号化が使用され、発信側ではＵＥと取り決められた符号化が使用される。組み入れられた会議ブリッジがＰＣＭ会議ブリッジであると想定すると、各レッグで受信した符号化からＰＣＭ符号化への符号化が適用される。これは異なった符号化が行われたデータ・ストリームを集めることを可能とする。
【０２３２】
１．    ＩＳＤＮ、アドレス・メッセージＩＡＭ（ＯＰＣ、ＤＰＣ、ＣＩＣ）
外部ＩＳＤＮネットワークから、移動体で終端する発呼への呼の設定が要求される。この例では、ゲートウェイ移動通信交換局／中継交換局ＧＭＳＣ１／ＴＳＣ及びシグナリング・ゲートウェイ１が併置されている。
【０２３３】
２．    ＤＣＰ、リソース要求（ＭＧＷ１、ＣＩＣ）
ＩＳＤＮネットワークの中継スイッチによって選択されたＣＩＣによって識別される呼に対するリソースが要求される。
【０２３４】
３．    ＤＣＰ、リソース応答（Ｐｉ１、Ｐｖ１１）
着信ポイントＰｉ１及び仮想ポイントＰｖ１１がメディア・ゲートウェイＭＧＷ１から返される。
【０２３５】
４．    ＭＡＰ、ルーティング情報送信要求
ゲートウェイ移動通信交換局ＧＭＳＣ１が、ホーム・ロケーション・レジスタＨＬＲにルーティング情報を問い合わせる。
【０２３６】
５．    ＭＡＰ、ルーティング情報送信応答
ゲートウェイ移動通信交換局ＧＭＳＣ１が、移動通信交換局ＭＳＣのアドレスを受信する。
【０２３７】
６．    ＩＳＤＮ、アドレス完了メッセージＡＣＭ
ＡＣＭメッセージがゲートウェイ移動通信交換局／中継交換局ＧＭＳＣ１／ＴＳＣから中継スイッチ１に送られる。
【０２３８】
７．    オプションのＤＣＰ、スルー接続（Ｐｉ１、Ｐｖ１１）
ゲートウェイ移動通信交換局／中継交換局ＧＭＳＣ１／ＴＳＣが、メディア・ゲートウェイＭＧＷ１に着信ポイントＰｉ１及び仮想ポイントＰｖ１１のスルー接続を命令する。オプションで、メディア・ゲートウェイＭＧＷ１の接続全体が、スルー接続（Ｐｉ１、Ｐｏ１）メッセージで１つのＤＣＰにスルー接続され得る。
【０２３９】
８．    ＩＳＤＮ、アドレス・メッセージＩＡＭ（ＭＧＷ１、Ｐｖ１１、ＯＰＣ、ＤＰＣ、ＣＩＣ）
ＩＡＭメッセージが、ゲートウェイ移動通信交換局／中継交換局ＧＭＳＣ１／ＴＳＣから移動通信交換局ＭＳＣに送信される。移動通信交換局ＭＳＣにおいて着信接続を識別するのに、メディア・ゲートウェイＭＧＷ１のアドレス及びＰｖ１１あるいはオプションでＯＰＣ、ＤＰＣ、ＣＩＣが使用され得る。
【０２４０】
９．    ＤＣＰ、リソース要求（ＭＧＷ１、Ｐｖ１１）
そのＣＩＣで識別される呼に対するリソースが要求される。
【０２４１】
１０．  ＤＣＰ、リソース応答（Ｐｏ１）
発信ポイントＰｏ１がメディア・ゲートウェイＭＧＷ１から返される。
【０２４２】
１１．  ＤＣＰ、スルー接続（Ｐｖ１１、Ｐｏ１）
移動通信交換局ＭＳＣが、メディア・ゲートウェイＭＧＷ１に、トランスコーダの組み入れと仮想ポイントＰｖ１及び発信ポイントＰｏ１のスルー接続とを命令する。オプションで、メディア・ゲートウェイＭＧＷ１の接続全体が、スルー接続（Ｐｉ１、Ｐｏ１）メッセージで１つのＤＣＰにスルー接続され得る。
【０２４３】
１２．  ＲＡＮＡＰ、ページング
１３．  ＤＴＡＰ、ページング応答
１４．  ＤＴＡＰ、設定
１５．  ＤＴＡＰ、呼の確認
１６．  ＲＡＮＡＰ、割当て要求
１７．  ＡＡＬ２、確立要求
１８．  ＡＡＬ２、確立確認
１９．  ＲＡＮＡＰ、割当て応答
２０．  ＤＴＡＰ、アラート
２１．  ＩＳＤＮ、アドレス完了メッセージＡＣＭ
２２．  ＩＳＤＮ、呼の手続ＣＰＧ
２３．  ＤＴＡＰ、接続
２４．  ＤＴＡＰ、接続ＡＣＫ
２５．  ＩＳＵＰ、応答メッセージＡＮＷ
２６．  ＩＳＵＰ、応答メッセージＡＮＷ
２７．  ＩＳＤＮ、アドレス・メッセージＩＡＭ（ＯＰＣ、ＤＰＣ、ＣＩＣ）
外部ＩＳＤＮネットワークから、移動体で終端する発呼への呼の設定が要求される。この例では、ゲートウェイ移動通信交換局ＧＭＳＣ２及びシグナリング・ゲートウェイ２が併置されている。
【０２４４】
２８．  ＤＣＰ、リソース要求（ＭＧＷ２、ＣＩＣ）
ＩＳＤＮネットワークの中継スイッチ２によって選択されたＣＩＣによって識別される呼に対するリソースが要求される。
【０２４５】
２９．  ＤＣＰ、リソース応答（Ｐｉ２、Ｐｖ１１）
着信ポイントＰｉ２及び仮想ポイントＰｖ２１がメディア・ゲートウェイＭＧＷ２から返される。
【０２４６】
３０．  ＭＡＰ、ルーティング情報送信要求
ゲートウェイ移動通信交換局ＧＭＳＣ２が、ホーム・ロケーション・レジスタＨＬＲにルーティング情報を問い合わせる。
【０２４７】
３１．  ＭＡＰ、ルーティング情報送信応答
ゲートウェイ移動通信交換局ＧＭＳＣ２が、移動通信交換局ＭＳＣのアドレスを受信する。
【０２４８】
３２．  ＩＳＤＮ、アドレス完了メッセージＡＣＭ
ＡＣＭメッセージがゲートウェイ移動通信交換局ＧＭＳＣ２から中継スイッチ２に送られる。
【０２４９】
３３．  オプションのＤＣＰ、スルー接続（Ｐｉ２、Ｐｖ２１）
ゲートウェイ移動通信交換局ＧＭＳＣ２が、メディア・ゲートウェイＭＧＷ２に着信ポイントＰｉ２及び仮想ポイントＰｖ２１のスルー接続を命令する。オプションで、メディア・ゲートウェイＭＧＷ２の接続全体が、スルー接続（Ｐｉ２、Ｐｏ２）メッセージで１つのＤＣＰにスルー接続され得る。
【０２５０】
３４．  ＩＳＤＮ、アドレス・メッセージＩＡＭ（ＭＧＷ２、Ｐｖ２１、ＯＰＣ、ＤＰＣ、ＣＩＣ）
ＩＡＭメッセージが、ゲートウェイ移動通信交換局ＧＭＳＣ２から移動通信交換局ＭＳＣに送信される。移動通信交換局ＭＳＣにおいて着信接続を識別するのに、メディア・ゲートウェイＭＧＷ２のアドレス及びＰｖ２１あるいはオプションでＯＰＣ、ＤＰＣ、ＣＩＣが使用され得る。
【０２５１】
３５．  ＤＣＰ、リソース要求（ＭＧＷ１）
着信ＡＡＬ２接続に対するリソースが要求される。
【０２５２】
３６．  ＤＣＰ、リソース応答（Ｐｖ１２、Ｐｉ１１）
着信ポイントＰｉ１１が、メディア・ゲートウェイＭＧＷ１から返される。
【０２５３】
３７．  オプションのＤＣＰ、スルー接続（Ｐｖ１２、Ｐｉ１１）
移動通信交換局ＭＳＣが、メディア・ゲートウェイＭＧＷ１に仮想ポイントＰｖ１２及び着信ポイントＰｉ１１のスルー接続を命令する。オプションで、メディア・ゲートウェイＭＧＷ１の接続全体が、スルー接続（Ｐｉ１１、Ｐｏ２）メッセージで１つのＤＣＰにスルー接続され得る。
【０２５４】
３８．  ＲＡＮＡＰ、ページング
３９．  ＤＴＡＰ、ページング応答
４０．  ＤＴＡＰ、設定
４１．  ＤＴＡＰ、呼の確認
４２．  ＤＴＡＰ、アラート
４３．  ＩＳＤＮ、アドレス完了メッセージＡＣＭ
４４．  ＩＳＤＮ、呼の手続ＣＰＧ
４５．  ＤＴＡＰ、ＨＯＬＤ（Ｂ）
４６．  ＤＴＡＰ、ＨＯＬＤ  ＡＣＫ
４７．  ＩＳＵＰ、呼の手続メッセージＣＰＧ（Ｂ保留）
４８．  ＩＳＵＰ、呼の手続メッセージＣＰＧ（Ｂ保留）
４９．  ＤＣＰ、接続設定（ＭＧＷ１、メディア・ゲートウェイＭＧＷ２、Ｐｖ２１、Ｐｉ１１）
ＭＳＣが発信ＡＡＬ２接続に対するリソースを要求し、トランスコーダを組み入れ、メディア・ゲートウェイＭＧＷ２に、メディア・ゲートウェイＭＧＷ１内のＰｉ１１に対する接続を設定するよう命令する。
【０２５５】
５０．  ＡＡＬ２、確立要求
５１．  ＡＡＬ２、確立確認
５２．  ＤＣＰ、接続設定応答（Ｐｏ２）
メディア・ゲートウェイＭＧＷ２が、発信接続が設定されたという信号を返送し、発信ポイントＰｏ２を返す。
【０２５６】
５３．  ＤＣＰ、スルー接続（Ｐｖ２１、Ｐｏ２）
移動通信交換局ＭＳＣが、メディア・ゲートウェイＭＧＷ２に仮想ポイントＰｖ２１及び発信ポイントＰｏ２のスルー接続を命令する。オプションで、メディア・ゲートウェイＭＧＷ２の接続全体が、スルー接続（Ｐｉ２、Ｐｏ２）メッセージで１つのＤＣＰにスルー接続され得る。
【０２５７】
５４．  ＤＣＰ、切断（Ｐｏ２、Ｐｖ２２）
５５．  ＤＣＰ、スルー接続（Ｐｖ１２、Ｐｏ２）
移動通信交換局ＭＳＣが、メディア・ゲートウェイＭＧＷ１に仮想ポイントＰｖ１２及び発信ポイントＰｏ２のスルー接続を命令する。オプションで、メディア・ゲートウェイＭＧＷ２の接続全体が、スルー接続（Ｐｉ２、Ｐｏ２）メッセージで１つのＤＣＰにスルー接続され得る。これは無線ネットワーク・コントローラＲＮＣ及びメディア・ゲートウェイＭＧＷ１間の既存のユーザ・プレーンを、加入者Ｃのユーザ・プレーンに接続する。
【０２５８】
５６．  ＤＴＡＰ、接続
５７．  ＤＴＡＰ、接続ＡＣＫ
５８．  ＩＳＵＰ、応答メッセージＡＮＷ
５９．  ＩＳＵＰ、応答メッセージＡＮＷ
６０．  ＤＴＡＰ、マルチユーザ形成
６１．  ＤＣＰ、ＣＣＤ組み入れ（ＭＧＷ１、Ｐｏ１１、Ｐｖ１１）
６４ｋｂｉｔ／ｓのＰＣＭのＣＣＤが、ユーザ・プレーンが６４ｋｂｉｔ／ｓである経路に組み入れられる。
【０２５９】
６２．  ＤＣＰ、切断（Ｐｏ１、Ｐｖ１２）
６３．  ＤＣＰ、トランスコーダの組み入れ（ＭＧＷ１、Ｐｉ１１、Ｐｖ１２）
音声をＰＣＭに変換するため。
【０２６０】
６４．  ＤＣＰ、スルー接続（Ｐｖ１２）
Ｐｖ１２及び会議ブリッジのスルー接続。
【０２６１】
６５．  ＩＳＵＰ、呼の手続ＣＰＧ（検索）
６６．  ＩＳＵＰ、呼の手続ＣＰＧ（検索）
６７．  ＩＳＵＰ、呼の手続ＣＰＧ（ＭＰＴＹ）
６８．  ＩＳＵＰ、呼の手続ＣＰＧ（ＭＰＴＹ）
６９．  ＩＳＵＰ、呼の手続ＣＰＧ（ＭＰＴＹ）
７０．  ＤＴＡＰ、ＭＰＴＹ形成ＡＣＫ。
【０２６２】
図１０は、移動通信交換局ＭＳＣにおける、ＩＳＤＮ番号で識別されるＩＳＤＮ加入者への着信転送を示している。移動通信交換局ＭＳＣは、メディア・ゲートウェイＭＧＷ１及びメディア・ゲートウェイＭＧＷ２間の接続を設定する。
【０２６３】
このシナリオでは、加入者ＡはＩＳＵＰによってユーザ機器Ｂへの呼を設定した。このため、ＴＳＣ１はメディア・ゲートウェイＭＧＷ１内の２つの終端Ｐｉ１及びＰｖ１１間における設定を行い、移動通信交換局ＭＳＣは２つの終端Ｐｏ１及びＰｖ１１間のトランスコーダを含む範囲における設定を行った。ＵＥ及びメディア・ゲートウェイＭＧＷ１間のユーザ・プレーンを設定した、Ｉｕインタフェースによって割当て要求が送信された。移動通信交換局ＭＳＣは、転送先番号から中継交換局ＴＳＣ２のアドレス及びメディア・ゲートウェイＭＧＷ２のアドレスを推定する。そして移動通信交換局ＭＳＣは、ユーザ・プレーンをメディア・ゲートウェイＭＧＷ１からメディア・ゲートウェイＭＧＷ２へ送る。
【０２６４】
図１１は、ＣＷ及びＨＯＬＤ機能に関係する例を示している。このシナリオでは、加入者ＡはＩＳＵＰによってユーザ機器Ｂへの呼を設定した。このため、ＴＳＣ１はメディア・ゲートウェイＭＧＷ１内の２つの終端Ｐｉ１及びＰｖ１１間における設定を行い、移動通信交換局ＭＳＣは２つの終端Ｐｏ１及びＰｖ１１間のトランスコーダを含む範囲における設定を行った。ＵＥ及びメディア・ゲートウェイＭＧＷ１間のユーザ・プレーンを設定した、Ｉｕインタフェースによって割当て要求が送信された。そして加入者ＣはＩＳＵＰによってユーザ機器Ｂへの呼を設定する。このため、中継交換局ＴＳＣ２は、メディア・ゲートウェイＭＧＷ２内の２つの終端Ｐｉ２及びＰｖ２１間における設定を行った。アクティブな呼が保留とされるべきであれば、ユーザ・プレーンはメディア・ゲートウェイＭＧＷ１で切断される必要がある。ウェイティング・コールを受け入れるべきであれば、移動通信交換局ＭＳＣはメディア・ゲートウェイＭＧＷ２内の２つの終端Ｐｏ２及びＰｖ２１間のトランスコーダを含む範囲における設定を行う。
【０２６５】
図１２は、メディア・ゲートウェイＭＧＷ３内でだけＣＣＤを使用するＭＰＴＹ呼を示している。このシナリオでは、加入者ＡはＩＳＵＰによってユーザ機器Ｂへの呼を設定した。そして加入者ＣはＩＳＵＰによってユーザ機器Ｂへの呼を設定した。ユーザ機器Ｂは加入者Ｃからのウェイティング・コールを受け入れ、アクティブな呼を保留とした。形成されたＭＰＴＹメッセージがＵＥから受信されたら、移動通信交換局ＭＳＣは、ＣＣＤ能力を有するメディア・ゲートウェイを選択する。新たなメディア・ゲートウェイがＭＳＣサーバに導入されるとき、及び以前に導入されたメディア・ゲートウェイが再度サービスを行うようになったときには常に、この能力が移動通信交換局から要求される。メディア・ゲートウェイの選択は以下の優先順位：アクティブな呼があるメディア・ゲートウェイ（これはＲＮＣからＭＧＷに向けての後続する設定を省略する）；保留の呼があるメディア・ゲートウェイ；ＣＣＤ能力のある他のあらゆるメディア・ゲートウェイ、に従って、現在の負荷状況に応じて選択される。
【０２６６】
上記で説明した例は、ＧＳＭ及びＵＭＴＳコア・ネットワークを実現するための、呼制御とベアラ制御とを分離する新たな手法を示している。この実現は、上記に概要を述べ、特許請求の範囲で規定される特徴をもたらす。
【図面の簡単な説明】
【図１】  メディア・ゲートウェイ・アドレスが順方向に転送されている、ＵＥからＵＥへの呼に対する基本的な呼の設定を示すブロック図である。
【図２】  メディア・ゲートウェイ・アドレスが順方向に転送されている、ＵＥへの呼に対する基本的な呼の設定を示すブロック図である。
【図３】  メディア・ゲートウェイ・アドレスが順方向に転送されている、ＧＭＳＣからＩＳＤＮ番号への着信転送に対する基本的な呼の設定を示すブロック図である。
【図４】  メディア・ゲートウェイ・アドレスが順方向に転送されている、ＧＭＳＣからＵＥ番号への着信転送に対する基本的な呼の設定を示すブロック図である。
【図５】  メディア・ゲートウェイ・アドレスが順方向に転送されている、ＧＭＳＣ内での着信転送を伴うＵＥからＵＥへの呼に対する基本的な呼の設定を示すブロック図である。
【図６】  メディア・ゲートウェイ・アドレスが順方向に転送されている、ＭＳＣ内でのＩＳＤＮ番号への着信転送に対する基本的な呼の設定を示すブロック図である。
【図７】  メディア・ゲートウェイ・アドレスが順方向に転送されている、異なったＭＧＷにおける、コール・ウェイティング及びウェイティング・コールの受け入れに対する基本的な呼の設定を示すブロック図である。
【図８】  メディア・ゲートウェイ・アドレスが順方向に転送されている、１つのＭＧＷにおける、コール・ウェイティング及びウェイティング・コールの受け入れに対する基本的な呼の設定を示すブロック図である。
【図９】  メディア・ゲートウェイ・アドレスが順方向に転送されている、ＭＰＴＹ呼に対する基本的な呼の設定を示すブロック図である。
【図１０】  ＭＳＣがＭＧＷ１とメディア・ゲートウェイＭＧＷ２との間の接続を設定している、ＭＳＣ内でのＩＳＤＮ番号への着信転送に対する基本的な呼の設定を示すブロック図である。
【図１１】  コール・ウェイティング及び保留に対する基本的な呼の設定を示すブロック図である。
【図１２】  ＭＧＷ３内だけのＣＣＤでのＭＰＴＹ呼に対する基本的な呼の設定を示すブロック図である。
【図１】
0004597449.tif 000002
【図２】
0004597449.tif 000003
【図３】
0004597449.tif 000004
【図４】
0004597449.tif 000005
【図５】
0004597449.tif 000006
【図６】
0004597449.tif 000007
【図７】
0004597449.tif 000008
【図８】
0004597449.tif 000009
【図９】
0004597449.tif 000010
【図１０】
0004597449.tif 000011
【図１１】
0004597449.tif 000012
【図１２】
0004597449.tif 000013